(57)【要約】【課題】本発明は、紙葉類取扱装置を小型化する。【解決手段】本発明は、装置筐体に開口部を有する紙葉類の収容空間と、その収容空間と下側で繋がる紙葉類の搬送空間とを形成すると共に、台座とステージとの間に設ける上下方向へ伸縮可能な伸縮部を、ステージ上の紙葉類が所定量以下であると伸長してステージを押し上げ、所定量より多いと伸長時よりも圧縮してステージを引き下げるように形成し、駆動部により台座を駆動してステージを上昇させることにより、ステージ上の紙葉類を所定量以下にすることで、台座を収容空間及び搬送空間の境界位置の下側まで上昇させても、伸縮部を伸長させてステージを当該台座の位置よりも上側の所望の受渡位置まで上昇させることができ、駆動部を開口部用のシャッタ開閉部の配置スペースの制約を受けずに収容空間よりも下側に配置でき、紙葉類取扱装置を小型化することができる。【選択図】図５
2015088138.tif 000002
【特許請求の範囲】
【請求項１】
装置筐体と、
上記装置筐体の所定位置に形成された開口部を介して外部と連通するように上記装置筐体内に形成され、紙葉類を外部との受渡用に収容するための収容空間と、
上記装置筐体内の上記収容空間の下に当該収容空間と繋げるように形成され、上記紙葉類を上下方向へ搬送するための搬送空間と、
上記紙葉類の上記上下方向への搬送用の台座と、
上記台座上に配置され、上面に上記紙葉類が上記上下方向への搬送用に載上されるステージと、
上記台座と上記ステージとの間に上記上下方向へ伸縮可能に設けられ、上記ステージ上の上記紙葉類が所定量以下であると伸長して上記ステージを押し上げ、上記ステージ上の上記紙葉類が上記所定量より多いと、上記伸長時よりも圧縮して上記ステージを引き下げる伸縮部と、
上記台座を昇降させるように駆動する駆動部と
を具える紙葉類取扱装置。
【請求項２】
上記ステージ上の上記紙葉類が上記所定量以下の場合、上記駆動部により上記台座を駆動して上記ステージの上記上面を、上記開口部及び上記収容空間を介した上記紙葉類の所望の受渡位置まで上昇させる制御部
を具える請求項１に記載の紙葉類取扱装置。
【請求項３】
上記伸縮部は、
アーム支持部と、
上記アーム支持部を介して菱格子状に組み合わせた複数のアームと、
上記アーム支持部と上記台座との間に設けられた圧縮コイルばねと
を具える請求項２に記載の紙葉類取扱装置。
【請求項４】
上記装置筐体に引出及び収納可能に設けられ、上記収容空間が形成された上段ユニットと、
上記装置筐体に引出及び収納可能に設けられ、上記搬送空間が形成された下段ユニットと、
上記上段ユニットと上記下段ユニットとが上下に位置するように一体化された際、上記上段ユニット及び上記下段ユニットを一体化した状態にロックする上下ユニットロック部と
を具える請求項３に記載の紙葉類取扱装置。
【請求項５】
上下ユニットロック部は、
上記台座の上昇に応じて、上記収容空間に上記ステージ上の上記上下搬送最大数を上限とする所定個数の上記紙葉類の少なくとも一部が入り込んでいる間は、上記上段ユニット及び上記下段ユニットのロックを解除し得ないロック解除不可状態にする
請求項４に記載の紙葉類取扱装置。
【請求項６】
上記上下ユニットロック部は、
上記台座の下降に応じて、上記小束受渡空間から上記ステージ上の上記紙葉類が全て下側に抜け出すと、上記上段ユニット及び上記下段ユニットの上記ロック解除不可状態を、ロックを解除し得るロック解除可能状態に切り換える
請求項５に記載の紙葉類取扱装置。
【請求項７】
上記駆動部は、
複数のベルトプーリと、
上記複数のベルトプーリに張架された状態で上記台座に係止され、当該台座を昇降させるためのベルトと
を具える請求項６に記載の紙葉類取扱装置。
【発明の詳細な説明】
【技術分野】
【０００１】
本発明は紙葉類取扱装置に関し、例えば、金融機関の営業店に設置される出納システムに設けられ、紙幣を所定枚数単位で施封し小束にして収納し、また紙幣の小束を入出金する施封小束支払機に適用して好適なものである。
【背景技術】
【０００２】
従来の施封小束支払機は、紙幣を所定枚数（例えば、１００枚）単位で紙帯により施封し小束として繰り出す施封部を有し、その施封部の前側に小束を出金するための出金口が設けられると共に、当該施封部の下側に小束を収納するための複数の小束収納庫が前後に並べて配置されている。
【０００３】
また施封小束支払機は、施封部と複数の小束収納庫との間に、その小束収納庫に小束を収納し、また取り出すための小束ハンドプッシャが前後に移動可能に設けられている。さらに施封小束支払機は、小束を上下方向へ搬送するためのエレベータ部が施封部と出金口との間から小束ハンドプッシャよりも下側の所定位置までの昇降範囲で昇降可能に設けられている。
【０００４】
これにより施封小束支払機は、小束収納時、施封部から繰り出した小束を、当該施封部と出金口との間まで上昇させていたエレベータ部で受け取った後、そのエレベータ部を下降させて小束ハンドプッシャへ引き渡し小束収納庫に収納していた。
【０００５】
また施封小束支払機は、紙幣出金時、小束ハンドプッシャにより小束収納庫から取り出した小束を、当該小束ハンドプッシャの位置まで下降させていたエレベータ部で受け取った後、そのエレベータ部を施封部と出金口との間まで上昇させて出金口から出金していた（例えば、特許文献１参照）。
【先行技術文献】
【特許文献】
【０００６】
【特許文献１】特開２００５−１５７７５９公報（第４頁、第５頁、図７）
【発明の概要】
【発明が解決しようとする課題】
【０００７】
ところで、従来の施封小束支払機では、エレベータ部が例えば、小束を載せるためのステージと、そのステージを昇降させるように駆動するための無端状のベルト、プーリ及びモータ等からなるステージ駆動部とを有している。
【０００８】
係るエレベータ部は、上下の２箇所に回転可能に配置された一対のプーリにベルトが張架されると共に、そのベルトにおいて一対のプーリの間の上下に長い直線状の部分にステージの端部が係止され、モータを介してベルトを回転させることで、ステージを一対のプーリの間で昇降させるように構成されている。
【０００９】
このため施封小束支払機では、ステージを施封部と出金口との間の所望の小束受渡位置まで上昇させる場合、ステージ駆動部の一部として上側のプーリと、そのプーリに対するベルトの張架部分とを小束受渡位置よりも上側に配置する必要がある。
【００１０】
ところが、施封小束支払機では、例えば、セキュリティの観点から、施封部と出金口との間に当該出金口用のシャッタを開閉するシャッタ開閉部が配置されている。このため施封小束支払機では、施封部と出金口との間にエレベータ部のベルト駆動部の一部と共にシャッタ開閉部を配置するためのスペースを確保しなければならず、当該施封小束支払機全体が大型化するという問題があった。
【００１１】
本発明は以上の点を考慮してなされたもので、小型化し得る紙葉類取扱装置を提案しようとするものである。
【課題を解決するための手段】
【００１２】
かかる課題を解決するため本発明においては、装置筐体と、装置筐体の所定位置に形成された開口部を介して外部と連通するように装置筐体内に形成され、紙葉類を外部との受渡用に収容するための収容空間と、装置筐体内の収容空間の下に当該収容空間と繋げるように形成され、紙葉類を上下方向へ搬送するための搬送空間と、紙葉類の上下方向への搬送用の台座と、台座上に配置され、上面に紙葉類が上下方向への搬送用に載上されるステージと、台座とステージとの間に上下方向へ伸縮可能に設けられ、ステージ上の紙葉類が所定量以下であると伸長してステージを押し上げ、ステージ上の紙葉類が所定量より多いと、伸長時よりも圧縮してステージを引き下げる伸縮部と、台座を昇降させるように駆動する駆動部とを設けるようにした。
【００１３】
従って本発明では、ステージ上の紙葉類を所定量以下にすることで、台座を収容空間と搬送空間との境界位置の下側まで上昇させても、伸縮部を伸長させてステージの上面を当該台座よりも上側の開口部及び収容空間を介した紙葉類の所望の受渡位置まで上昇させることができ、その結果、駆動部を、収容空間側に配置される開口部用のシャッタ開閉部の配置スペースの制約を何ら受けずに収容空間よりも下側に配置することができる。
【発明の効果】
【００１４】
本発明によれば、装置筐体と、装置筐体の所定位置に形成された開口部を介して外部と連通するように装置筐体内に形成され、紙葉類を外部との受渡用に収容するための収容空間と、装置筐体内の収容空間の下に当該収容空間と繋げるように形成され、紙葉類を上下方向へ搬送するための搬送空間と、紙葉類の上下方向への搬送用の台座と、台座上に配置され、上面に紙葉類が上下方向への搬送用に載上されるステージと、台座とステージとの間に上下方向へ伸縮可能に設けられ、ステージ上の紙葉類が所定量以下であると伸長してステージを押し上げ、ステージ上の紙葉類が所定量より多いと、伸長時よりも圧縮してステージを引き下げる伸縮部と、台座を昇降させるように駆動する駆動部とを設けるようにしたことにより、ステージ上の紙葉類を所定量以下にすることで、台座を収容空間と搬送空間との境界位置の下側まで上昇させても、伸縮部を伸長させてステージの上面を当該台座よりも上側の開口部及び収容空間を介した紙葉類の所望の受渡位置まで上昇させることができ、その結果、駆動部を、収容空間側に配置される開口部用のシャッタ開閉部の配置スペースの制約を何ら受けずに収容空間よりも下側に配置することができ、かくして小型化し得る紙葉類取扱装置を実現することができる。
【図面の簡単な説明】
【００１５】
【図１】本発明による出納システムの全体構成の一実施の形態を示す略線的斜視図である。
【図２】施封小束支払機の内部構成を示す略線的側面図である。
【図３】支払機筐体からの上段ユニット及び下段ユニットの引き出しの説明に供する略線的側面図である。
【図４】支払機筐体への上段ユニット及び下段ユニットの収納の説明に供する略線的側面図である。
【図５】載上台昇降部の構成を示す略線的背面図である。
【図６】載上台の構成を示す略線的斜視図である。
【図７】載上台での伸縮部の伸長によるステージの上昇の説明に供する略線的背面図である。
【図８】載上台での伸縮部の圧縮によるステージの下降の説明に供する略線的背面図である。
【図９】載上台昇降部の載上台の下降の説明に供する略線的背面図である。
【図１０】小束精査時の載上台昇降部における載上台の下降の説明に供する略線的背面図である。
【図１１】上下ユニットロック部の構成（１）を示す略線的側面図である。
【図１２】上下ユニットロック部の構成（２）を示す略線的側面図である。
【図１３】載上台の上昇に応じた上下ユニットロック部によるロック解除可能状態からロック解除不可状態への切り換え（１）の説明に供する略線的側面図である。
【図１４】載上台の上昇に応じた上下ユニットロック部によるロック解除可能状態からロック解除不可状態への切り換え（２）の説明に供する略線的側面図である。
【図１５】載上台が小束受渡位置まで上昇したときの上下ユニットロック部によるロック解除不可状態の説明に供する略線的側面図である。
【図１６】ロックレバーの操作による上段ユニット及び下段ユニットのロックの解除の説明に供する略線的側面図である。
【図１７】下段ユニットからの上段ユニットのロック解除後の分離の説明に供する略線的側面図である。
【発明を実施するための形態】
【００１６】
以下図面を用いて、発明を実施するための最良の形態（以下、これを実施の形態とも呼ぶ）について説明する。なお、説明は以下の順序で行う。
（１）実施の形態
（２）他の実施の形態
【００１７】
（１）実施の形態
（１−１）出納システムの全体構成
図１において、１は全体として例えば、金融機関の営業店において図示しない接客用カウンタの後方に設置され、金銭に関する入金や出金等の各種処理を総合的に実行可能なように構築された出納システムを示す。
【００１８】
出納システム１は、紙幣を１枚単位で入出金する紙幣入出金機２、及び金種別の紙幣を所定枚数（例えば、１００枚）単位で施封して小束として収納し、また紙幣の小束を入出金する施封小束支払機３を有している。
【００１９】
また出納システム１は、例えば、小売店や公共施設等に設置される図示しない現金自動預払機（ATM：Automatic  Teller  Machine）に着脱可能で、当該現金自動預払機で行われる取引用の紙幣を収納する補充回収カセットに紙幣を補充し、また補充回収カセットから紙幣を回収する紙幣補充回収機４も有している。
【００２０】
さらに出納システム１は、各金種の新券（すなわち、新札）を出金する新券支払機５、金種別の硬貨を一定枚数毎に重ねて包まれた棒金として出金する棒金支払機６、及び硬貨を１枚単位で入出金する硬貨入出金機７も有している。
【００２１】
さらに出納システム１は、紙幣入出金機２や施封小束支払機３、紙幣補充回収機４、新券支払機５、棒金支払機６及び硬貨入出金機７で行われる入金や出金等の処理内容を認証して所定の帳票等に印字し排出する認証プリンタ８、及び現金以外の小切手や定期預金証書等の有価証券を取り込んで入金処理する現金外ポスト９も有している。
【００２２】
さらに出納システム１は、入金や出金等の各種処理に関する種々の情報を表示するディスプレイ１０、入金や出金等の各種処理に関する種々の情報や指示等を入力するためのキーボード１１、及び出納システム１全体を統括制御する制御装置１２も有している。
【００２３】
出納システム１は、これら各種装置の少なくとも一部については比較的自由に配置することができるものの、例えば、棒金支払機６、施封小束支払機３、紙幣補充回収機４、紙幣入出金機２、制御装置１２及び硬貨入出金機７が、各々の正面を同一方向に向け順に隣接させるようにして横一列に並べて配置されている。
【００２４】
因みに、以下の説明では、出納システム１全体を、棒金支払機６、施封小束支払機３、紙幣補充回収機４、紙幣入出金機２、制御装置１２及び硬貨入出金機７各々の同一方向を向く正面と対峙して見た場合の図中に矢印ａ１で示す左の方向を、左方向とも呼び、当該左方向とは逆の方向を、右方向とも呼び、これらを特に区別する必要がない場合や、その両方を示す場合はまとめて左右方向とも呼ぶ。
【００２５】
また、以下の説明では、出納システム１全体を、棒金支払機６、施封小束支払機３、紙幣補充回収機４、紙幣入出金機２、制御装置１２及び硬貨入出金機７各々の同一方向を向く正面と対峙して見た場合の図中に矢印ｂ１で示す上の方向を、上方向とも呼び、当該上方向とは逆の方向を、下方向とも呼び、これらを特に区別する必要がない場合や、その両方を示す場合はまとめて上下方向とも呼ぶ。
【００２６】
さらに、以下の説明では、出納システム１全体を、棒金支払機６、施封小束支払機３、紙幣補充回収機４、紙幣入出金機２、制御装置１２及び硬貨入出金機７各々の同一方向を向く正面と対峙して見た場合の図中に矢印ｃ１で示す手前の方向を、前方向とも呼び、当該前方向とは逆の方向を、後方向とも呼び、これらを特に区別する必要がない場合や、その両方を示す場合はまとめて前後方向とも呼ぶ。
【００２７】
また出納システム１は、例えば、紙幣補充回収機４の前上側に新券支払機５が組み込まれて一体化されると共に、その紙幣補充回収機４に認証プリンタ８が載置されている。さらに出納システム１は、紙幣入出金機２にディスプレイ１０が正面を前方向に向けて載置されると共に、そのディスプレイ１０の前にキーボード１１が載置されている。さらに出納システム１は、硬貨入出金機７に現金外ポスト９が載置されている。
【００２８】
そして出納システム１は、右方向に添って順次隣接させるようにして配置された施封小束支払機３、紙幣補充回収機４、及び紙幣入出金機２が、紙幣を例えば、当該紙幣の長手方向を前後方向とほぼ平行にした搬送姿勢（以下、これを前後平行搬送姿勢とも呼ぶ）で左右方向に搬送する装置間搬送部によって接続されている。
【００２９】
因みに、以下の説明では、紙幣の長手方向（すなわち、紙幣の長辺と平行な方向）を、紙幣長手方向とも呼び、当該紙幣の短手方向（すなわち、紙幣の短辺と平行な方向）を、紙幣短手方向とも呼ぶ。
【００３０】
これにより出納システム１は、施封小束支払機３、紙幣補充回収機４、及び紙幣入出金機２の間で、施封や補充、回収等の各種処理に用いる紙幣を適宜、装置間搬送部を介して搬送して受け渡すことができる。
【００３１】
（１−２）施封小束支払機の内部構成
次いで、図２を用いて、本発明を適用した施封小束支払機３の内部構成について説明する。施封小束支払機３は、前端全体に開口部が形成された略箱型の筐体（以下、これを支払機筐体とも呼ぶ）２０を有している。
【００３２】
そして支払機筐体２０には、紙幣を処理する上下２段の処理ユニット２１、２２が設けられている。因みに、以下の説明では、上下２段の処理ユニット２１、２２のうち、上段の処理ユニット２１を、上段ユニット２１とも呼び、下段の処理ユニット２２を、下段ユニット２２とも呼ぶ。
【００３３】
上段ユニット２１は、下前端部に、下後端部よりも上側に凹むような段差部（以下、これを凹状段差部とも呼ぶ）が形成された略逆Ｌ字箱型の筐体（以下、これを上ユニット筐体とも呼ぶ）２５を有している。
【００３４】
また上段ユニット２１は、上ユニット筐体２５の前端に正面パネル（以下、これを上側正面パネルとも呼ぶ）２６が設けられている。そして上段ユニット２１は、上側正面パネル２６により支払機筐体２０の開口部の上側部分を閉塞するようにして当該支払機筐体２０内に上ユニット筐体２５が収納されている。
【００３５】
下段ユニット２２は、凹状段差部に対応させて上前端部に、上後端部よりも突出するような段差部（以下、これを凸状段差部とも呼ぶ）が設けられた略Ｌ字箱型の筐体（以下、これを下ユニット筐体とも呼ぶ）２７を有している。
【００３６】
また下段ユニット２２は、下ユニット筐体２７の前端に正面パネル（以下、これを下側正面パネルとも呼ぶ）２８が設けられている。そして下段ユニット２２は、下側正面パネル２８により支払機筐体２０の開口部の残りの下側部分を閉塞するようにして当該支払機筐体２０内に下ユニット筐体２７が収納されている。
【００３７】
これにより上段ユニット２１及び下段ユニット２２は、支払機筐体２０内では凹状段差部及び凸状段差部を嵌合させて上ユニット筐体２５及び下ユニット筐体２７が上下に配置され、支払機筐体２０の前端では上側正面パネル２６及び下側正面パネル２８があたかも１つのパネルのように上下に並べられている、因みに、施封小束支払機３では、上側正面パネル２６及び下側正面パネル２８の表面全体が上述した正面３Ａとなる。
【００３８】
上段ユニット２１の上ユニット筐体２５内には、例えば、後下端部に、上述した制御装置１２からの指示のもと、施封小束支払機３全体（すなわち、上段ユニット２１及び下段ユニット２２）を制御する例えば、マイクロプロセッサ構成の制御部３０が収納されている。
【００３９】
また上ユニット筐体２５内には、後上端部に、紙幣入出金機２や紙幣補充回収機４から装置間搬送部を介して搬送される紙幣を取り込み引き続き搬送しながら、その搬送姿勢を前後平行搬送姿勢から紙幣長手方向を左右向とほぼ平行にする搬送姿勢（以下、これを左右平行搬送姿勢とも呼ぶ）へと変更するツイスト搬送部３１が配置されている。
【００４０】
さらに上ユニット筐体２５内には、前上端部に、それぞれ紙幣を金種別に所定枚数（例えば、１００枚）ずつ集積する上下２段の紙幣集積部３２、３３が配置されている。さらに上ユニット筐体２５内には、紙幣集積部３２、３３の真下に、紙幣を所定枚数単位で紙帯により施封して小束ＢＵを形成する施封部３４が配置されている。
【００４１】
そして上ユニット筐体２５内には、紙幣集積部３２、３３とツイスト搬送部３１との間に、これら紙幣集積部３２、３３に集積された紙幣を施封部３４へ移動させる紙幣移動部３５が上下方向へ移動可能に設けられている。
【００４２】
また上ユニット筐体２５内には、ツイスト搬送部３１から紙幣移動部３５の上側を経て紙幣集積部３２、３３の前側までに亘り振分搬送部が配置され、その振分搬送部によりツイスト搬送部３１から左右平行搬送姿勢にした紙幣を紙幣移動部３５の上側を通して紙幣集積部３２、３３へ振り分けるように搬送する振分搬送路３６が形成されている。
【００４３】
ここで、上ユニット筐体２５は、その前下端部となる凹状段差部の上側に、紙幣の小束ＢＵを受渡用に収容する収容空間（以下、これを小束受渡空間とも呼ぶ）ＤＳが形成され、凹状段差部の底に当該小束受渡空間ＤＳの下端を開放する開口部が形成されている。
【００４４】
そして施封部３４は、その前面を凹状段差部の下側から小束受渡空間ＤＳの後側に亘って位置させるように配置され、当該前面の上端寄りに小束受渡空間ＤＳと連通する紙幣繰出口（図示せず）が形成されている。これにより施封部３４は、紙幣を施封して形成した小束ＢＵを、紙幣繰出口を介して小束受渡空間ＤＳへ繰り出すことができる。
【００４５】
また上側正面パネル２６は、下端部に、外部と小束受渡空間ＤＳとを連通して、紙幣の小束ＢＵを入金用及び出金用に通すための四角形状の切り欠き（すなわち、下縁から上側への四角形状の切り欠き）でなる開口部（以下、これを入出金口とも呼ぶ）２６Ａが形成されている。
【００４６】
さらに上ユニット筐体２５は、例えば、入出金口２６Ａ用の２枚構成のシャッタ３７と、これらシャッタ３７を支持して開閉するように駆動するシャッタ駆動部（図２には図示せず）とから構成されるシャッタ開閉部３８を有している。
【００４７】
そしてシャッタ開閉部３８は、シャッタ駆動部が小束受渡空間ＤＳにおける小束ＢＵの受け渡しを阻害しないように例えば、当該小束受渡空間ＤＳの左側及び右側に配置されている。
【００４８】
一方、下段ユニット２２の下ユニット筐体２７は、紙幣の小束ＢＵを載上可能な載上台４０と、その載上台４０を昇降させるように駆動する駆動部（以下、これを載上台駆動部とも呼ぶ）とから構成され、紙幣の小束ＢＵを上下方向に搬送するための昇降部（以下、これを載上台昇降部とも呼ぶ）４１を有している。因みに、載上台駆動部の構成については後述する。
【００４９】
また下ユニット筐体２７は、凸状段差部の上端から真下の当該下ユニット筐体２７の底付近までに亘り、載上台４０を昇降させて紙幣の小束ＢＵを上下方向へ搬送するための上下方向に長い搬送空間（以下、これを載上台昇降空間とも呼ぶ）ＥＳが形成されている。そして載上台昇降部４１は、載上台昇降空間ＥＳの周囲に載上台駆動部が配置され、その載上台駆動部により載上台昇降空間ＥＳ内で載上台４０を昇降させている。
【００５０】
また下ユニット筐体２７内には、下端部の後寄りに紙幣の小束ＢＵを金種毎に収納する複数の小束金庫４２乃至４５が前後方向に並べて配置されている。さらに下ユニット筐体２７は、最も前に位置する小束金庫４２と載上台昇降空間ＥＳの下端部との間に、小束ＢＵを斜めして積み重ねるように収納するオーバフロー庫４６が配置されている。
【００５１】
さらに下ユニット筐体２７内には、複数の小束金庫４２乃至４５及びオーバフロー庫４６と上ユニット筐体２５の下端との間に、小束ＢＵを前後方向へ搬送するための前後方向に長い搬送空間（以下、これを小束搬送空間とも呼ぶ）ＴＳが形成されている。
【００５２】
そして下ユニット筐体２７は、小束ＢＵを保持して搬送する小束ハンド部４７が、その小束搬送空間ＴＳから載上台昇降空間ＥＳにおける当該小束受渡空間ＤＳの前端との対向部分内までに亘り前後方向へ移動可能に設けられている。
【００５３】
また下ユニット筐体２７は、小束金庫４２乃至４５に対して小束ＢＵを出し入れするためのプッシャ部４８が、小束搬送空間ＴＳ内の小束ハンド部４７の後側で、当該小束ハンド部４７とは独立して前後方向へ移動可能なように設けられている。
【００５４】
因みに、プッシャ部４８の下端部には、小束ハンド部４７を前側から収容し、また前側へ排出可能な収容部が設けられている。そしてプッシャ部４８は、収容部に小束ハンド部４７を収容して一体化された場合、その小束ハンド部４７が保持している小束ＢＵを小束金庫４２乃至４５へ押し込むようにして収納し、また小束金庫４２乃至４５から取り出した小束ＢＵを小束ハンド部４７に保持させ得るように形成されている。
【００５５】
またプッシャ部４８の前端部には、小束ＢＵを保持した状態の小束ハンド部４７を収容部に収容する際、その小束ＢＵの金種や施封の状態等を鑑別するための例えば、ラインセンサでなる鑑別センサ４９が設けられている。
【００５６】
ところで、施封小束支払機３は、上述したように、紙幣入出金機２や紙幣補充回収機４から装置間搬送部を介して前後平行搬送姿勢で搬送される紙幣をツイスト搬送部３１に取り込んで搬送しながら、当該紙幣の搬送姿勢を左右平行搬送姿勢へ変更している。
【００５７】
よって施封小束支払機３は、そのツイスト搬送部３１による紙幣の変更後の搬送姿勢（すなわち、左右平行搬送姿勢）に応じて、上段ユニット２１及び下段ユニット２２により紙幣や小束ＢＵを、紙幣長手方向を左右方向とほぼ平行にした姿勢で取り扱っている。
【００５８】
このため、上段ユニット２１では、例えば、小束受渡空間ＤＳの横幅（すなわち、左右方向の長さ）が紙幣の長辺の長さ以上の所定の横幅に選定されると共に、当該小束受渡空間ＤＳの奥行き（すなわち、前後方向の長さ）が紙幣の短辺の長さ以上の所定の奥行きに選定されている。また上段ユニット２１では、入出金口２６Ａの横幅（すなわち、左右方向の長さ）も、紙幣の長辺の長さ以上の所定の横幅に選定されている。
【００５９】
ただし、施封小束支払機３では、例えば、載上台昇降部４１の載上台４０により上下方向へ一度に搬送可能な小束ＢＵの量（すなわち、個数）が５束のような所定量（すなわち、上下方向へ一度に搬送可能な小束ＢＵの最大数であり、以下、これを上下搬送最大数とも呼ぶ）に選定されている。
【００６０】
よって上段ユニット２１では、小束受渡空間ＤＳの高さ（すなわち、上下方向の長さ）が、平積みした上下搬送最大数の小束ＢＵ全体の厚みよりも高い所定の高さに選定されている。これにより上段ユニット２１では、小束受渡空間ＤＳが上下搬送最大数の小束ＢＵを平積みした状態で収容可能な大きさに形成されている。
【００６１】
また上段ユニット２１では、入出金口２６Ａの高さ（すなわち、上下方向の長さ）が、平積みした上下搬送最大数の小束ＢＵ全体の厚みよりも高い所定の高さに選定されている。これにより上段ユニット２１では、その入出金口２６Ａが上下搬送最大数の小束ＢＵを平積みしたように重ねて手で持ったまま通すことができるように形成されている。
【００６２】
一方、下段ユニット２２では、例えば、載上台昇降空間ＥＳの横幅（すなわち、左右方向の長さ）が紙幣の長辺の長さ以上の所定の横幅に選定されると共に、当該載上台昇降空間ＥＳの奥行き（すなわち、前後方向の長さ）が紙幣の短辺の長さ以上の所定の奥行きに選定されている。
【００６３】
そして下段ユニット２２は、下ユニット筐体２７の凸状段差部の上端に載上台昇降空間ＥＳの上端を開放するための開口部が形成されている。これにより施封小束支払機３は、下段ユニット２２の載上台昇降空間ＥＳと上段ユニット２１の小束受渡空間ＤＳとを上下方向に長い１つの空間となるように連結している。
【００６４】
また複数の小束金庫４２乃至４５は、それぞれ例えば、収納可能な小束ＢＵの量（すなわち、個数）が２０束のような所定量（すなわち、収納可能な小束ＢＵの最大数であり、以下、これを収納最大数とも呼ぶ）に選定されて形成されている。そして下段ユニット２２では、図２からも明らかなように、凸状段差部の上端が小束金庫４２乃至４５の上端の高さ位置よりも上側に位置している。
【００６５】
このため下段ユニット２２では、載上台昇降空間ＥＳの高さ（すなわち、上下方向の長さ）が、平積みした収納最大数の小束ＢＵ全体の厚みよりも高い所定の高さに選定されている。
【００６６】
制御部３０は、係る構成のもと、上段ユニット２１及び下段ユニット２２を適宜制御して、紙幣を施封し小束ＢＵとして小束金庫４２乃至４５に収納する施封小束収納処理や、小束ＢＵを出金する小束出金処理、小束ＢＵを入金する小束入金処理を実行している。
【００６７】
実際に制御部３０は、施封小束収納時、紙幣入出金機２や紙幣補充回収機４から装置間搬送部を介して紙幣が順次一枚ずつ搬送されると、その紙幣をツイスト搬送部３１に取り込み搬送姿勢を変更した後、振分搬送路３６を介して紙幣集積部３２、３３へ搬送して集積する。
【００６８】
そして制御部３０は、紙幣集積部３２、３３において所定枚数（例えば、１００枚）の紙幣を集積すると、紙幣移動部３５により紙幣集積部３２、３３から所定枚数の紙幣を取り出して施封部３４へ移動させた後、その施封部３４により所定枚数の紙幣を紙帯で施封して小束ＢＵを形成し小束受渡空間ＤＳへ繰り出す。
【００６９】
この際、制御部３０は、載上台昇降部４１において載上台駆動部により載上台４０を例えば、施封部３４の紙幣繰出口の下縁の近傍及び入出金口２６Ａの下端の近傍の載上台昇降空間ＥＳと小束受渡空間ＤＳとの境界位置である（すなわち、凸状段差部の上端の位置でもある）小束ＢＵの受渡位置（以下、これを小束受渡位置とも呼ぶ）まで上昇させている。
【００７０】
よって制御部３０は、この際、施封部３４から小束受渡空間ＤＳへ繰り出された小束ＢＵを載上台４０の上面に載せるようにして当該施封部３４から載上台４０へ小束ＢＵを受け渡す。因みに、以下の説明では、載上台４０において小束ＢＵを載せるための上面を、小束載上面とも呼ぶ。
【００７１】
そして制御部３０は、載上台昇降部４１において載上台駆動部により載上台４０を、小束ハンド部４７による小束ＢＵの保持位置（以下、これを小束保持位置とも呼ぶ）まで下降させる。
【００７２】
また制御部３０は、例えば、小束ハンド部４７をプッシャ部４８と一体化したまま前方向のオーバフロー庫４６の真上まで移動させた後、プッシャ部４８から小束ハンド部４７を分離してさらに前方向の載上台４０の真上まで移動させる。
【００７３】
これにより制御部３０は、載上台４０の小束載上面に載せている小束ＢＵを小束ハンド部４７で保持した後、その小束ハンド部４７を後方向へ移動させてプッシャ部４８と再び一体化する。
【００７４】
ただし、制御部３０は、小束ハンド部４７をプッシャ部４８と一体化するために後方向へ移動させると、小束ハンド部４７が保持している小束ＢＵがプッシャ部４８の鑑別センサ４９の下を通過するため、この際、鑑別センサ４９を介して当該小束ＢＵの金種及び施封の状態を鑑別する。
【００７５】
その結果、制御部３０は、小束ＢＵの施封の状態が紙帯の剥がれや損傷等がなく正常であると鑑別すると、オーバフロー庫４６の真上から小束ハンド部４７及びプッシャ部４８を一体化したまま後方向の、その鑑別した金種に対応する小束金庫４２乃至４５の真上まで移動させる。
【００７６】
そして制御部３０は、小束ハンド部４７による小束ＢＵの保持を解除させると共に、その小束ＢＵをプッシャ部４８により小束金庫４２乃至４５に上から押し込むようにして収納する。
【００７７】
因みに、制御部３０は、小束ハンド部４７の保持している小束ＢＵの金種と共に施封の状態を鑑別した結果、その小束ＢＵの施封の状態が紙帯の剥がれや損傷等により異常であると鑑別すると、小束ハンド部４７をオーバフロー庫４６の真上に停止させたまま小束ＢＵの保持を解除させて、当該小束ＢＵをオーバフロー庫４６内に落下させるようにして収納する。
【００７８】
このようにして制御部３０は、施封小束収納時、紙幣入出金機２や紙幣補充回収機４から順次搬送される紙幣を所定枚数単位で施封して小束ＢＵを形成すると共に、その小束ＢＵを小束金庫４２乃至４５に収納することができる。
【００７９】
一方、制御部３０は、小束出金時、例えば、行員により制御装置１２に対し出金すべき小束ＢＵの金種が指定されると共に、その出金すべき金額が小束単位で指定されると、これに応じて、小束ハンド部４７及びプッシャ部４８を一体化したまま後方向の、その指定された金種に対応する小束金庫４２乃至４５の真上まで移動させる。因みに、以下の説明では、行員により出金用に指定された小束ＢＵの金種を、指定金種とも呼び、その行員により出金用に指定された小束単位の金額を、指定金額とも呼ぶ。
【００８０】
また制御部３０は、載上台昇降部４１において載上台駆動部により載上台４０を例えば、小束ハンド部４７による小束ＢＵの載上位置（以下、これを小束載上位置とも呼ぶ）まで下降させる。
【００８１】
そして制御部３０は、プッシャ部４８により小束金庫４２乃至４５から指定金種の１個の小束ＢＵを取り出して、その小束ＢＵを小束ハンド部４７で保持した後、当該小束ハンド部４７をプッシャ部４８から分離して前方向へ移動させる。
【００８２】
ただし、制御部３０は、プッシャ部４８から小束ハンド部４７を分離するために前方向へ移動させると、その小束ハンド部４７が保持している小束ＢＵがプッシャ部４８の鑑別センサ４９の下を通過するため、この際にも、鑑別センサ４９を介して当該小束ＢＵの金種及び施封の状態を鑑別する。
【００８３】
その結果、制御部３０は、小束ＢＵが正常であると鑑別すると、小束ハンド部４７を載上台４０の前上まで移動させた後、その小束ハンド部４７による小束ＢＵの保持を解除させて、当該小束ＢＵを載上台４０の小束載上面に載せる。
【００８４】
因みに、制御部３０は、小束ハンド部４７の保持している小束ＢＵの金種と共に施封の状態を鑑別した結果、その小束ＢＵが異常であると鑑別すると、小束ハンド部４７をオーバフロー庫４６の真上まで移動させて小束ＢＵの保持を解除させて、当該小束ＢＵをオーバフロー庫４６内に落下させるようにして収納する。
【００８５】
このようにして制御部３０は、指定金額が例えば、１個の小束ＢＵ分の場合、小束ハンド部４７により１個の小束ＢＵを載上台４０の小束載上面に載せた後、その小束ハンド部４７を後方向へ移動させて小束載上面の上から待避させると、載上台昇降部４１において載上台駆動部により載上台４０を小束受渡位置まで上昇させる。
【００８６】
そして制御部３０は、シャッタ開閉部３８においてシャッタ駆動部により入出金口２６Ａに対してシャッタ３７を開く。これにより制御部３０は、行員に入出金口２６Ａを介して、載上台４０の小束載上面に載せている小束ＢＵを取り出せるようにして、当該載上台４０から行員へ小束ＢＵを受け渡す。
【００８７】
また制御部３０は、指定金額が２個以上の小束ＢＵ分の場合、小束ハンド部４７により１個の小束ＢＵを載上台４０の小束載上面に載せた後、その小束ハンド部４７を後方向へ移動させてプッシャ部４８と再び一体化させる。
【００８８】
さらに制御部３０は、載上台昇降部４１において載上台駆動部により載上台４０を、小束載上面に２個目の小束ＢＵを載上可能なように下降させる。そのうえで、制御部３０は、上述と同様の処理を実行して載上台４０の小束載上面に２個目の小束ＢＵを１個目の小束ＢＵに重ねるように載せる。
【００８９】
そして制御部３０は、この際、指定金額に応じて、載上台４０の小束載上面に２個目の小束ＢＵを載せる場合と同様の処理を適宜繰り返し実行して、その小束載上面に上下搬送最大数を上限とする指定金額に応じた個数の小束ＢＵを載せると、その都度、載上台４０を小束受渡位置まで上昇させて、上述と同様にして行員に小束ＢＵを受け渡す。
【００９０】
このようにして制御部３０は、小束出金時、行員により指定された金種の小束ＢＵを、１回の小束ＢＵの出金数の上限を上下搬送最大数として、その行員により指定された金額分の小束ＢＵを１回で、又は複数回に分けて出金することができる。
【００９１】
また制御部３０は、小束入金時、載上台昇降部４１において載上台駆動部により載上台４０を小束受渡位置まで上昇させた後、シャッタ開閉部３８においてシャッタ駆動部により入出金口２６Ａに対してシャッタ３７を開く。
【００９２】
そして制御部３０は、行員により入出金口２６Ａを介して載上台４０の小束載上面に上下搬送最大数を上限とする入金用の１又は複数の小束ＢＵが平積みするように載せられると、シャッタ開閉部３８においてシャッタ駆動部により入出金口２６Ａに対してシャッタ３７を閉じる。
【００９３】
そのうえで、制御部３０は、載上台昇降部４１において載上台駆動部により載上台４０を小束保持位置まで下降させる。また制御部３０は、小束ハンド部４７をプッシャ部４８と一体化したまま前方向のオーバフロー庫４６の真上まで移動させた後、プッシャ部４８から小束ハンド部４７を分離してさらに前方向の載上台４０の真上まで移動させる。
【００９４】
これにより制御部３０は、載上台４０の小束載上面から１個の小束ＢＵを小束ハンド部４７で保持した後、その小束ハンド部４７を後方向へ移動させてプッシャ部４８と再び一体化すると共に、この際、上述と同様に鑑別センサ４９を介して当該小束ＢＵの金種及び施封の状態を鑑別する。
【００９５】
その結果、制御部３０は、小束ＢＵが正常であると鑑別すると、上述と同様にオーバフロー庫４６の真上から小束ハンド部４７及びプッシャ部４８を一体化したまま後方向の小束金庫４２乃至４５の真上まで移動させて、その小束ＢＵを当該小束金庫４２乃至４５に収納する。
【００９６】
因みに、制御部３０は、この際、小束ＢＵが異常であると鑑別すると、小束ハンド部４７をオーバフロー庫４６の真上に停止させたまま、上述と同様に、その小束ＢＵをオーバフロー庫４６に収納する。
【００９７】
また制御部３０は、載上台４０の小束載上面に入金用の小束ＢＵが２個以上載せられていると、載上台昇降部４１において載上台駆動部により載上台４０を、小束載上面から２個目の小束ＢＵを取り出し得るように上昇させる。
【００９８】
そのうえで、制御部３０は、上述と同様の処理を実行して小束ハンド部４７により載上台４０の小束載上面から２個目の小束ＢＵを取り出すようにして小束金庫４２乃至４５に収納する。
【００９９】
そして制御部３０は、この際、載上台４０の小束載上面に重ねて載せられている小束ＢＵの個数に応じて、当該載上台４０の小束載上面から２個目の小束ＢＵを取り出す場合と同様の処理を適宜繰り返し実行して、入金用の複数の小束ＢＵを小束金庫４２乃至４５に順次収納する。
【０１００】
このようにして制御部３０は、小束出金時、行員により入出金口２６Ａを介して小束受渡空間ＤＳに投入された上下搬送最大数を上限とする１又は複数の小束ＢＵを入金することができる。
【０１０１】
ところで、制御部３０は、施封小束収納時や小束出金時、小束入金時には、複数の小束金庫４２乃至４５に対して小束ＢＵを出し入れする毎に、その小束金庫４２乃至４５毎の小束ＢＵの収納個数を計数して管理している。
【０１０２】
また制御部３０は、施封小束収納時や小束出金時、小束入金時には、オーバフロー庫４６に小束ＢＵを収納する毎に、そのオーバフロー庫４６に対する小束ＢＵの収納個数も計数して管理している。
【０１０３】
そして制御部３０は、施封小束収納時や小束入金時、小束金庫４２乃至４５が満杯になった後も、これに収納すべき小束ＢＵを小束ハンド部４７で保持したときには、オーバフロー庫４６が未だ小束ＢＵを収納可能であれば、その小束ＢＵを満杯の小束金庫４２乃至４５に代えてオーバフロー庫４６に収納している。
【０１０４】
また制御部３０は、小束金庫４２乃至４５やオーバフロー庫４６が満杯になった際や小束金庫４２乃至４５が空になった際には、その旨を例えば、制御装置１２を介して行員に通知して、満杯の小束金庫４２乃至３５やオーバフロー庫４６から小束ＢＵを回収させ、また空の小束金庫４２乃至４５に小束ＢＵを補充させている。
【０１０５】
実際、図３及び図４に示すように、支払機筐体２０は、左側板の内面中央部及び右側板の内面中央部に、一対の中央レールガイド５２（一方のみ図示して他方は図示せず）が、その長手方向を前後方向と平行にして配置されている。
【０１０６】
また支払機筐体２０は、左側板及の内面下端寄り及び右側板の内面下端寄りに、一対の下側レールガイド５３（一方のみ図示して他方は図示せず）が、その長手方向を前後方向と平行にして配置されている。
【０１０７】
一方、上段ユニット２１は、上ユニット筐体２５の左側面の下端寄り及び右側面の下端寄りに一対の上側スライドレール５４（一方のみ図示して他方は図示せず）が、その長手方向を前後方向と平行にして配置されている。
【０１０８】
また下段ユニット２２は、下ユニット筐体２７の左側面の下端寄り及び右側面の下端寄りに一対の下側スライドレール５５（一方のみ図示して他方は図示せず）が、その長手方向を前後方向と平行にして配置されている。
【０１０９】
これにより支払機筐体２０は、一対の中央レールガイド５２に上ユニット筐体２５の一対の上側スライドレール５４を係合させて、上段ユニット２１を前後方向へスライド可能に支持している。
【０１１０】
また支払機筐体２０は、一対の下側レールガイド５３に下ユニット筐体２７の一対の下側スライドレール５５を係合させて、下段ユニット２２も前後方向へスライド可能に支持している。
【０１１１】
そして施封小束支払機３は、下ユニット筐体２７の上前端部に上ユニット筐体２５の凹状段差部に嵌合する凸状段差部が設けられているため、支払機筐体２０内から上段ユニット２１及び下段ユニット２２を一体化したまま、メンテナンス等のために前方向へ引き出させる（すなわち、上ユニット筐体２５及び下ユニット筐体２７を一体化したまま前方向へ引き出させる）ことができる。
【０１１２】
また施封小束支払機３は、支払機筐体２０内から上段ユニット２１及び下段ユニット２２を前方向へ引き出した状態から上段ユニット２１のみを支払機筐体２０内に収納させる（すなわち、上ユニット筐体２５のみを収納させる）ことができる。
【０１１３】
そのうえで、施封小束支払機３は、支払機筐体２０内から前方向へ引き出していた下段ユニット２２を支払機筐体２０内に収納させる（すなわち、下ユニット筐体２７を収納させる）ことができる。
【０１１４】
よって制御部３０は、小束金庫４２乃至４５やオーバフロー庫４６が満杯になった際や小束金庫４２乃至４５が空になった際には、行員に支払機筐体２０内から下段ユニット２２のみ（すなわち、下ユニット筐体２７のみ）を前方向へ引き出した状態にさせて、その満杯の小束金庫４２乃至３５やオーバフロー庫４６から小束ＢＵを回収させ、また空の小束金庫４２乃至４５に小束ＢＵを補充させることができる。
【０１１５】
ただし、施封小束支払機３では、このように手作業で小束金庫４２乃至３５に対して小束ＢＵが回収及び補充されると、その小束金庫４２乃至４５における小束ＢＵの実際の収納個数が、それまで制御部３０が計数していた収納個数と一致しなくなる。
【０１１６】
また施封小束支払機３では、このように手作業で小束金庫４２乃至３５に小束ＢＵを補充する場合、小束金庫４２乃至４５に金種の異なる小束ＢＵや施封の状態が異常な小束ＢＵが誤って収納される可能性もある。
【０１１７】
このため制御部３０は、このように手作業で小束金庫４２乃至３５に対して小束ＢＵが回収及び補充されると、例えば、制御装置１２の指示のもと、小束金庫４２乃至４５に収納されている小束ＢＵを精査して収納個数や金種、状態等を確認するための小束精査処理を実行する。
【０１１８】
制御部３０は、小束精査時、小束ハンド部４７及びプッシャ部４８を一体化したまま後方向の、制御装置１２に指示された小束金庫４２乃至４５の真上まで移動させる。また制御部３０は、載上台昇降部４１において載上台駆動部により載上台４０を小束載上位置まで下降させる。
【０１１９】
そして制御部３０は、プッシャ部４８により小束金庫４２乃至４５から１個の小束ＢＵを取り出して、その小束ＢＵを小束ハンド部４７で保持した後、当該小束ハンド部４７をプッシャ部４８から分離して前方向へ移動させる。
【０１２０】
この際、制御部３０は、プッシャ部４８の鑑別センサ４９を介して、小束ハンド部４７の保持している小束ＢＵの金種及び施封の状態を鑑別する。その結果、制御部３０は、小束ＢＵが正常であると鑑別すると、小束ハンド部４７を載上台４０の前上まで移動させた後、その小束ハンド部４７による小束ＢＵの保持を解除させて、当該小束ＢＵを載上台４０の小束載上面に載せる。
【０１２１】
因みに、制御部３０は、この際、小束ハンド部４７の保持している小束ＢＵが異常であると鑑別すると、小束ハンド部４７をオーバフロー庫４６の真上まで移動させて小束ＢＵの保持を解除させてオーバフロー庫４６内に落下させるようにして収納する。
【０１２２】
また制御部３０は、小束ハンド部４７により１個の小束ＢＵを載上台４０の小束載上面に載せると、その小束ハンド部４７を後方向へ移動させてプッシャ部４８と再び一体化させると共に、載上台昇降部４１において載上台駆動部により載上台４０を、小束載上面に２個目の小束ＢＵを載上可能なように下降させる。
【０１２３】
そのうえで、制御部３０は、上述と同様の処理を実行して載上台４０の小束載上面に２個目の小束ＢＵを１個目の小束ＢＵに重ねるように載せる。そして制御部３０は、この際、小束金庫４２乃至４５に対する小束ＢＵの収納個数に応じて、載上台４０の小束載上面に２個目の小束ＢＵを載せる場合と同様の処理を適宜繰り返し実行する。
【０１２４】
このようにして制御部３０は、載上台昇降部４１と共に載上台昇降空間ＥＳをあたかも臨時の小束金庫のように機能させて、小束金庫４２乃至４５内の小束ＢＵを当該載上台昇降空間ＥＳ内へ移しながら、当該小束金庫４２乃至４５内の全ての小束ＢＵを精査して収納個数や金種、状態等を確認する。
【０１２５】
そして制御部３０は、このようにして小束金庫４２乃至４５内の全ての小束ＢＵを精査し終えると、上述とは逆の処理を順次実行して、載上台昇降空間ＥＳ内に一時的に収納していた小束ＢＵを小束金庫４２乃至４５に戻す。
【０１２６】
このようにして制御部３０は、小束精査時、載上台昇降部４１と共に載上台昇降空間ＥＳを利用して小束金庫４２乃至４５内の小束ＢＵを全て精査し、以降は、その精査結果をもとに当該小束金庫４２乃至４５に対する小束ＢＵの収納個数を計数して的確に管理可能にしている。
【０１２７】
（１−３）載上台昇降部の構成
次いで、図５及び図６を用いて、小束ＢＵを上下方向へ搬送する載上台昇降部４１の構成について説明する。載上台昇降部４１は、上述したように載上台４０と載上台駆動部６０とから構成されている。
【０１２８】
載上台４０は、左右方向に長い略受皿状の台座６５上に、パンタグラフ式の伸縮部６６を介して、左右に長い略長方形板状のステージ６７が設けられている。因みに、ステージ６７は、上面が上述した小束載上面６７Ａとなり、当該小束載上面６７Ａの大きさが、紙幣の一面の大きさとほぼ等しく選定されている。
【０１２９】
伸縮部６６は、例えば、それぞれ同一長さの細長い板状の８本のアーム７０乃至７７と、左右方向に長い略ハット状のアーム支持部７８と、６本のアーム支持軸７９乃至８４とを有している。
【０１３０】
アーム支持部７８は、その長手方向の中央部分に上側へ突出する凸部７８Ａが設けられている。またアーム支持部７８は、凸部７８Ａの左側の板部７８Ｂの前端に軸支持部（以下、これを左前軸支持部とも呼ぶ）７８ＢＸが上側へ突出するように垂設されると共に、当該左側の板部７８Ｂの後端にも軸支持部（以下、これを左後軸支持部とも呼ぶ）７８ＢＹが上側へ突出するように垂設されている。
【０１３１】
さらにアーム支持部７８は、凸部７８Ａの右側の板部７８Ｃの前端に軸支持部（以下、これを右前軸支持部とも呼ぶ）７８ＣＸが上側へ突出するように垂設されると共に、当該右側の板部７８Ｃの後端にも軸支持部（以下、これを右後軸支持部とも呼ぶ）７８ＣＹが上側へ突出するように垂設されている。
【０１３２】
そしてアーム支持部７８は、左前軸支持部７８ＢＸの左端部及び左後軸支持部７８ＢＹの左端部の対向位置に穿設された一対の円形の軸支持孔部を介して、１本のアーム支持軸（以下、これを中央左アーム支持軸とも呼ぶ）７９を前後方向と平行な姿勢にして回動可能に支持している。
【０１３３】
またアーム支持部７８は、右前軸支持部７８ＣＸ及び右後軸支持部７８ＣＹの対向位置に穿設された左右方向に長い一対のレーストラック状の軸挿入長孔部を介して、１本のアーム支持軸（以下、これを中央右アーム支持軸とも呼ぶ）８０を前後方向と平行な姿勢にして左右方向へスライド可能で、かつ回転可能に支持している。
【０１３４】
一方、台座６５は、底板６５Ａの前端に軸支持部（以下、これを前軸支持部とも呼ぶ）６５Ｂが上側へ突出するように垂設されると共に、その底板６５Ａの後端にも軸支持部（以下、これを後軸支持部とも呼ぶ）６５Ｃが上側へ突出するように垂設されている。
【０１３５】
そして台座６５は、前軸支持部６５Ｂの左端部及び後軸支持部６５Ｃの左端部の対向位置に穿設された一対の円形の軸支持孔部を介して、１本のアーム支持軸（以下、これを左下アーム支持軸とも呼ぶ）８１を前後方向と平行な姿勢にして回動可能に支持している。
【０１３６】
また台座６５は、前軸支持部６５Ｂの右端部及び後軸支持部６５Ｃの右端部の対向位置に穿設された左右方向に長い一対のレーストラック状の軸挿入長孔部を介して、１本のアーム支持軸（以下、これを右下アーム支持軸とも呼ぶ）８２を前後方向と平行な姿勢にして左右方向へスライド可能で、かつ回転可能に支持している。
【０１３７】
これに加えて、ステージ６７は、左前端及び左後端に、一対の軸支持部６７Ｂ（一方のみ図示して他方は図示せず）が下側へ突出するように垂設されている。そしてステージ６７は、その一対の軸支持部６７Ｂの対向位置に穿設された一対の円形の軸支持孔部を介して、１本のアーム支持軸（以下、これを左上アーム支持軸とも呼ぶ）８３を前後方向と平行な姿勢にして回動可能に支持している。
【０１３８】
またステージ６７は、右前端及び右後端にも、一対の軸支持部６７Ｃ（一方のみ図示して他方は図示せず）が下側へ突出するように垂設されている。そしてステージ６７は、その一対の軸支持部６７Ｃの対向位置に穿設された左右方向に長い一対のレーストラック状の軸挿入長孔部を介して、１本のアーム支持軸（以下、これを右上アーム支持軸とも呼ぶ）８４を前後方向と平行な姿勢にして左右方向へスライド可能で、かつ回転可能に支持している。
【０１３９】
さらに伸縮部６６は、２本毎のアーム７０乃至７７を互いの長手方向の中央の交差位置で円柱状の連結ピン８５、８６（２個のみ図示して他の２個は図示せず）を介して回動可能に連結して、合計で４組の連結アーム対が形成されている。そして伸縮部６６は、アーム支持部７８を境にして２組の連結アーム対が前上側及び前下側に配置されると共に、残りの２組が後上側及び後下側に配置されている。
【０１４０】
因みに、以下の説明では、アーム支持部７８を境にして前上側に配置される１組の連結アーム対を、前上連結アーム対とも呼び、前下側に配置される１組の連結アーム対を、前下連結アーム対とも呼ぶ。
【０１４１】
また、以下の説明では、アーム支持部７８を境にして後上側に配置される１組の連結アーム対を、後上連結アーム対とも呼び、後下側に配置される１組の連結アーム対を、後下連結アーム対とも呼ぶ。
【０１４２】
実際に伸縮部６６は、前下連結アーム対において一方のアーム７０の左側の端部が左下アーム支持軸８１の前端部に回動可能に取り付けられると共に、他方のアーム７１の右側の端部が右下アーム支持軸８２の前端部に回動可能に取り付けられている。
【０１４３】
また伸縮部６６は、前下連結アーム対の他方のアーム７１の左側の端部と、前上連結アーム対の一方のアーム７２の左側の端部とが中央左アーム支持軸７９の前端部に回動可能に取り付けられると共に、当該前下連結アーム対の一方のアーム７０の右側の端部と、前上連結アーム対の他方のアーム７３の右側の端部とが中央右アーム支持軸８０の前端部に回動可能に取り付けられている。
【０１４４】
さらに伸縮部６６は、前上連結アーム対において他方のアーム７３の左側の端部が左上アーム支持軸８３の前端部に回動可能に取り付けられると共に、一方のアーム７２の右側の端部が右上アーム支持軸８４の前端部に回動可能に取り付けられている。
【０１４５】
これに加えて、伸縮部６６は、後下連結アーム対において一方のアーム７４の左側の端部が左下アーム支持軸８１の後端部に回動可能に取り付けられると共に、他方のアーム７５の右側の端部が右下アーム支持軸８２の後端部に回動可能に取り付けられている。
【０１４６】
また伸縮部６６は、後下連結アーム対の他方のアーム７５の左側の端部と、後上連結アーム対の一方のアーム７６の左側の端部とが中央左アーム支持軸７９の後端部に回動可能に取り付けられると共に、当該後下連結アーム対の一方のアーム７４の右側の端部と、後上連結アーム対の他方のアーム７７の右側の端部とが中央右アーム支持軸８０の後端部に回動可能に取り付けられている。
【０１４７】
さらに伸縮部６６は、後上連結アーム対において他方のアーム７７の左側の端部が左上アーム支持軸８３の後端部に回動可能に取り付けられると共に、一方のアーム７６の右側の端部が右上アーム支持軸８４の後端部に回動可能に取り付けられている。
【０１４８】
このようにして載上台４０は、台座６５とステージ６７との間に伸縮部６６の複数のアーム７０乃至７７が菱格子状に組み合わせるようにして、左右の端部の間隔を近づけ、また広げるようにして伸縮可能に設けられている。
【０１４９】
これにより載上台４０は、台座６５上でステージ６７を個別に（すなわち、載上台４０自体の昇降からは独立させて）、小束載上面６７Ａをほぼ水平にしたまま、伸縮部６６の伸縮に応じて所定のステージ昇降範囲で昇降させる（すなわち、押し上げ、また引き下げる）ことができるようにしている。
【０１５０】
そして載上台４０は、台座６５の底板６５Ａの中央よりも左側及び右側に同一構成の一対の圧縮コイルばね８７、８８の一端部が係止されると共に、当該一対の圧縮コイルばね８７、８８の他端部がアーム支持部７８の凸部７８Ａの下面の中央よりも左側及び右側に係止されている。
【０１５１】
ここで、一対の圧縮コイルばね８７、８８は、ステージ６７上の小束ＢＵの個数が上下搬送最大数（例えば、５個）以下（０個も含む）である場合は何ら縮まず、当該ステージ６７上の小束ＢＵの個数が上下搬送最大数から１個増える毎に徐々に縮むように、ばね定数や自然長等が適宜選定されて形成されている。
【０１５２】
よって図７に示すように、載上台４０は、ステージ６７の小束載上面６７Ａに何ら小束ＢＵが載っていない状態では、一対の圧縮コイルばね８７、８８を最も伸ばしたままにすることができる。
【０１５３】
これにより載上台４０は、アーム支持部７８を上下方向の変位可能範囲の上限位置まで押し上げるようにして複数のアーム７０乃至７７の左右の端部の間隔を極力近づけて、伸縮部６６を目一杯伸長し、これに応じてステージ６７をステージ昇降範囲において台座６５から最も遠ざける上限位置まで上昇させることができる。
【０１５４】
また載上台４０は、ステージ６７の小束載上面６７Ａに１個から上下搬送最大数までの何れかの個数の小束ＢＵが載せられている状態（すなわち、１個から上下搬送最大数までの何れかの個数の小束ＢＵ分の荷重が加えられている状態）でも、一対の圧縮コイルばね８７、８８を最も伸ばしたままにすることができる。
【０１５５】
これにより載上台４０は、この際にも、アーム支持部７８を変位可能範囲の上限位置まで押し上げるようにして複数のアーム７０乃至７７の左右の端部の間隔を極力近づけて、伸縮部６６を目一杯伸長し、かくしてステージ６７をステージ昇降範囲の上限位置まで上昇させておくことができる。
【０１５６】
これに対して図８に示すように、載上台４０は、ステージ６７の小束載上面６７Ａに、特に図示してはいないが、上下搬送最大数よりも多い個数の小束ＢＵが載せられる（すなわち、上下搬送最大数よりも多い個数の小束ＢＵ分の荷重が加えられる）と、その小束載上面６７Ａに載せられる小束ＢＵが上下搬送最大数から１個増える毎に、一対の圧縮コイルばね８７、８８を順次縮める。
【０１５７】
これにより載上台４０は、アーム支持部７８を変位可能範囲の上限位置から徐々に引き下げるようにして複数のアーム７０乃至７７の左右の端部の間隔を広げて、伸縮部６６を目一杯伸長した状態から徐々に圧縮し、これに応じてステージ６７をステージ昇降範囲の上限位置から徐々に下降させることができる。
【０１５８】
そして載上台４０は、ステージ６７の小束載上面６７Ａに上下搬送最大数よりも多く、かつ収納最大数以下の所定の個数の小束ＢＵが載せられると、一対の圧縮コイルばね８７、８８を最も縮めることができる。
【０１５９】
これにより載上台４０は、アーム支持部７８を変位可能範囲の下限位置まで引き下げるようにして複数のアーム７０乃至７７を左右の端部の間隔を極力広げて折り畳んで、伸縮部６６を目一杯圧縮し、これに応じてステージ６７をステージ昇降範囲において台座６５に最も近づける下限位置まで下降させることができる。
【０１６０】
また載上台４０において台座６５は、例えば、底板６５Ａの左端に略Ｌ字状の支持部取付板（以下、これを左側支持部取付板とも呼ぶ）６５Ｄの胴体部が上側へ直角に突出するように接合され、当該左側支持部取付板６５Ｄの腕部を前軸支持部６５Ｂの前で左方向へ突出させている。
【０１６１】
さらに台座６５は、例えば、底板６５Ａの右端にも略Ｌ字状の支持部取付板（以下、これを右側支持部取付板とも呼ぶ）６５Ｅの胴体部が上側へ直角に突出するように接合され、当該右側支持部取付板６５Ｅの腕部を前軸支持部６５Ｂの前で右側に突出させている。
【０１６２】
さらに台座６５は、左側支持部取付板６５Ｄの腕部及び右側支持部取付板６５Ｅの腕部に例えば、当該台座６５よりも幅広（すなわち、左右方向の長さが長い）な略コ字状のローラ支持部９０の肩部９０Ａの左端部及び右端部が固着されている。
【０１６３】
これにより台座６５は、ローラ支持部９０の左腕部９０Ｂ及び右腕部９０Ｃを、これら左側支持部取付板６５Ｄの腕部及び右側支持部取付板６５Ｅの腕部のさらに前側に突出させている。
【０１６４】
またローラ支持部９０は、左腕部９０Ｂの左面に例えば、略Ｓ字板状のベルト係止部（以下、これを左側ベルト係止部とも呼ぶ）９１の一端部が後側に向けた状態で固着されている。これにより左側ベルト係止部９１は、その他端部を、ローラ支持部９０の左腕部９０Ｂから当該左側ベルト係止部９１の中央部の幅だけ左に離した状態で前側に向けている。
【０１６５】
さらにローラ支持部９０は、右腕部９０Ｃの右面にも例えば、略Ｓ字板状のベルト係止部（以下、これを右側ベルト係止部とも呼ぶ）９２の一端部が後側に向けた状態で固着されている。これにより右側ベルト係止部９２は、その他端部を、ローラ支持部９０の右腕部９０Ｃから当該右側ベルト係止部９２の中央部の幅だけ右に離した状態で前側に向けている。
【０１６６】
そして台座６５は、ローラ支持部９０の左腕部９０Ｂにおいて左面の上端部及び下端部に、載上台４０の昇降をガイドするための一対の左側昇降ガイドローラ９３、９４を、その左右方向と平行なローラ軸を介して回動可能に支持している。
【０１６７】
また台座６５は、例えば、左側ベルト係止部９１の中央部において、一対の左側昇降ガイドローラ９３、９４の間に、載上台４０が昇降する際の左右方向への振れを規制するための左側振れ規制ローラ（図示せず）を、その前後方向と平行なローラ軸を介して回動可能に支持している。
【０１６８】
さらに台座６５は、ローラ支持部９０の右腕部９０Ｃにおいて右面の上端部及び下端部に、載上台４０の昇降をガイドするための一対の右側昇降ガイドローラ９６、９７を、その左右方向と平行なローラ軸を介して回動可能に支持している。
【０１６９】
さらにまた台座６５は、例えば、右側ベルト係止部９２の中央部において、一対の右側昇降ガイドローラ９６、９７の間に、載上台４０が昇降する際の左右方向への振れを規制するための右側振れ規制ローラ（図示せず）を、その前後方向と平行なローラ軸を介して回動可能に支持している。
【０１７０】
一方、載上台駆動部６０は、例えば、４個のベルトプーリ１００乃至１０３と、テンションプーリ１０４と、長さの異なる２本の無端状のベルト１０５、１０６と、図示しないモータと、所定の同一長さの略溝形の２本のガイドレール１０７、１０８とを有している。
【０１７１】
４個のベルトプーリ１００乃至１０３は、例えば、下ユニット筐体２７の前端部において載上台昇降空間ＥＳの左側の上下２箇所の所定位置と右側の上下２箇所の所定位置とに、それぞれ前後方向と平行なプーリ回動軸を介して回動可能に支持されている。
【０１７２】
またテンションプーリ１０４は、例えば、下ユニット筐体２７の前端部において左上のベルトプーリ１００の右斜め下近傍に、前後方向と平行なプーリ回動軸を介して回動可能に支持されている。
【０１７３】
そして左側の上下２個のベルトプーリ１００、１０１には、２本のベルト１０５、１０６のうち一方の比較的短いベルト１０５が張架されている。また４個のベルトプーリ１００乃至１０３には、２本のベルト１０５、１０６のうち他方の比較的長いベルト１０６がテンションプーリ１０４を介して張架されている。
【０１７４】
モータは、例えば、下ユニット筐体２７の前端部において左上のベルトプーリ１００の後斜め下の所定位置に配置されている。また左上のベルトプーリ１００には、ギア１０９が一体に回動可能に取り付けられており、当該ギア１０９が中間ギア１１０を介して、モータの出力軸に取り付けられた駆動ギア１１１に連結されている。
【０１７５】
さらに一方のガイドレール１０７は、例えば、下ユニット筐体２７の前端部において載上台昇降空間ＥＳの左側に、当該ガイドレール１０７の長手方向を上下方向と平行にし、かつ溝部を後側に向けて配置されている。
【０１７６】
さらにまた他方のガイドレール１０８は、例えば、下ユニット筐体２７の前端部において載上台昇降空間ＥＳの右側に、当該ガイドレール１０８の長手方向を上下方向と平行にし、かつ溝部を後側に向けて配置されている。
【０１７７】
そして載上台４０は、台座６５において左側ベルト係止部９１の他端部の右面に一方のベルト１０５が係止され、一対の左側昇降ガイドローラ９３、９４の前側の部分、及び左側振れ規制ローラを一方のガイドレール１０７の溝部に挿入している。
【０１７８】
また載上台４０は、台座６５において右側ベルト係止部９５の他端部の左面に他方のベルト１０６が係止され、一対の右側昇降ガイドローラ９６、９７の前側の部分、及び右側振れ規制ローラを他方のガイドレール１０８の溝部に挿入している。
【０１７９】
載上台昇降部４１（図５）は、係る構成のもと、制御部３０が載上台駆動部６０のモータを載上台４０の上昇用に動作させると、その載上台駆動部６０において一対のベルト１０５、１０６を後側から見て時計回り方向となる回転方向（以下、これを上昇用回転方向とも呼ぶ）へ回転させる。
【０１８０】
これにより載上台昇降部４１は、そのベルト１０５の、１０６の上昇用回転方向への回転に連動させて載上台４０を、ステージ６７の小束載上面６７Ａをほぼ水平にしたまま、載上台昇降空間ＥＳの上端まで上昇させることができる。
【０１８１】
また図９に示すように、載上台昇降部４１は、制御部３０が載上台駆動部６０のモータを載上台４０の下降用に動作させると、その載上台駆動部６０において一対のベルト１０５、１０６を後側から見て反時計回り方向となる回転方向（以下、これを下降用回転方向とも呼ぶ）へ回転させる。
【０１８２】
これにより載上台昇降部４１は、そのベルト１０５の、１０６の下降用回転方向への回転に連動させて載上台４０を、ステージ６７の小束載上面６７Ａをほぼ水平にしたまま、載上台昇降空間ＥＳの下端（すなわち、底）付近まで下降させることができる。
【０１８３】
ここで、載上台昇降部４１は、上述した施封小束収納時や小束出金時、小束入金時に載上台駆動部６０により載上台４０を、小束載上位置や小束保持位置から小束受渡位置ＢＰまで上昇させるものの、実際にはステージ６７の小束載上面６７Ａを小束受渡位置ＢＰまで上昇させている。
【０１８４】
また載上台昇降部４１は、このようにステージ６７の小束載上面６７Ａを小束受渡位置ＢＰまで上昇させる際、上述したように小束載上面６７Ａに載せる小束ＢＵの個数を上下搬送最大数以下にしている。
【０１８５】
よって載上台昇降部４１は、施封小束収納時や小束出金時、小束入金時には、載上台４０の伸縮部６６を目一杯伸長した状態（すなわち、ステージ６７をステージ昇降範囲で台座６５から最も遠ざける上限位置まで上昇させた状態）で、その載上台４０としてステージ６７の小束載上面６７Ａを小束受渡位置ＢＰまで上昇させている。
【０１８６】
そして載上台昇降部４１は、上述したように載上台駆動部６０により載上台４０として実際にはステージ６７の下側に位置する台座６５を昇降用に駆動している。このため載上台昇降部４１は、図５からも明らかなように、載上台駆動部６０全体を小束受渡位置ＢＰの下側に配置して台座６５を小束受渡位置ＢＰの下側まで上昇させても、ステージ６７の小束載上面６７Ａを小束受渡位置ＢＰまで上昇させることができる。
【０１８７】
すなわち、載上台昇降部４１は、載上台４０において台座６５上に伸縮部６６を介してステージ６７を設け、その伸縮部６６を目一杯伸長した状態で台座６５を上昇用に駆動してステージ６７の小束載上面６７Ａを小束受渡位置ＢＰまで上昇させることで、載上台駆動部６０が下ユニット筐体２７から小束受渡位置ＢＰよりも上側の入出金口２６Ａと施封部３４との間にまで亘って配置されることを回避している。
【０１８８】
ところで、載上台昇降部４１は、例えば、載上台４０の伸縮部６６を目一杯伸長した状態でステージ６７の小束載上面６７Ａを小束受渡位置ＢＰまで上昇させる際、当該小束載上面６７Ａが小束受渡位置ＢＰに到達したことを台座６５の上昇位置として検出するための図示しないセンサ（以下、これを上昇位置センサとも呼ぶ）が設けられている。
【０１８９】
また載上台昇降部４１は、例えば、載上台４０を載上台昇降空間ＥＳの底まで下降させる際、台座６５が底板６５Ａを載上台昇降空間ＥＳの下端（底）に近接させる所定の下降位置に到達したことを検出するための図示しないセンサ（以下、これを下降位置センサとも呼ぶ）も設けられている。
【０１９０】
さらに載上台昇降部４１は、例えば、載上台４０を小束載上位置まで昇降させることを検出するための図示しないセンサ（以下、これを載上位置センサとも呼ぶ）も設けられている。
【０１９１】
因みに、載上位置センサは、載上台４０を昇降させた際、ステージ６７の小束載上面６７Ａに小束ＢＵが載っていない場合には、その小束載上面６７Ａが小束載上位置に到達したことを検出し、１又は複数の小束ＢＵが載っている場合には、その１又は複数の小束ＢＵの最も上側の面（以下、これを小束最上面とも呼ぶ）が小束載上位置に到達したことを検出するためのものである。
【０１９２】
よって制御部３０は、施封小束収納時、載上台昇降部４１において載上台４０がステージ６７の小束載上面６７Ａに小束ＢＵが載っていないために伸縮部６６を目一杯伸長している状態で、載上台駆動部６０を制御して当該載上台４０を上昇させる。
【０１９３】
そして制御部３０は、上昇位置センサを介して載上台４０の台座６５が小束受渡位置ＢＰよりも下の上昇位置まで上昇したことを検出すると、その時点で載上台駆動部６０による載上台４０の上昇を停止させる。
【０１９４】
これにより制御部３０は、載上台４０においてステージ６７の小束載上面６７Ａを小束受渡位置ＢＰまで上昇させることができ、施封部３４から小束ＢＵをステージ６７の小束載上面６７Ａで受け取ることができる。
【０１９５】
ただし、制御部３０は、このようにステージ６７の小束載上面６７Ａで小束ＢＵを受け取ると、載上台４０がステージ６７の小束載上面６７Ａに上下搬送最大数以下の小束ＢＵしか載っていないために伸縮部６６を目一杯伸長している状態で、載上台駆動部６０を制御して当該載上台４０を下降させる。
【０１９６】
そして制御部３０は、例えば、載上位置センサを介してステージ６７上の小束ＢＵの小束最上面を検出すると、その時点で載上台駆動部６０による載上台４０の下降を一旦停止させる。
【０１９７】
そして制御部３０は、例えば、載上台駆動部６０を制御して載上台４０を例えば、１個の小束ＢＵの厚み分だけ上昇させた後、その載上台駆動部６０による載上台４０の上昇を停止させる。
【０１９８】
これにより制御部３０は、ステージ６７上の小束ＢＵの小束最上面を小束載上位置よりも上の小束保持位置に到達させ、かくしてステージ６７上の小束ＢＵを小束ハンド部４７によって保持させた後、後方向へ搬送させることができる。
【０１９９】
また制御部３０は、小束出金時、載上台昇降部４１において載上台４０がステージ６７の小束載上面６７Ａに小束ＢＵが載っていないために伸縮部６６を目一杯伸長している状態で、載上台駆動部６０を制御して当該載上台４０を下降させる。
【０２００】
そして制御部３０は、載上位置センサを介してステージ６７の小束載上面６７Ａを検出すると、その時点で載上台駆動部６０による載上台４０の下降を停止させる。これにより制御部３０は、ステージ６７の小束載上面６７Ａを小束載上位置に到達させ、かくして小束ハンド部４７により前方向へ搬送される小束ＢＵを当該ステージ６７の小束載上面６７Ａで受け取ることができる。
【０２０１】
また制御部３０は、この際、指定金額が２個以上の小束ＢＵ分であると、載上台４０がステージ６７の小束載上面６７Ａに上下搬送最大数以下の小束ＢＵしか載っていないために伸縮部６６を目一杯伸長している状態で、載上台駆動部６０を制御して当該載上台４０を下降させる。
【０２０２】
そして制御部３０は、載上位置センサを介してステージ６７上の小束ＢＵの小束最上面を検出すると、その時点で載上台駆動部６０による載上台４０の下降を停止させる。
【０２０３】
これにより制御部３０は、ステージ６７の小束載上面６７Ａ上の小束ＢＵの小束最上面を小束載上位置まで下降させ、かくして小束ハンド部４７により前方向へ搬送される２個目の小束ＢＵを当該ステージ６７の小束載上面６７Ａで受け取ることができる。
【０２０４】
このようにして制御部３０は、ステージ６７の小束載上面６７Ａに指定金額以内の上下搬送最大数を上限とする小束ＢＵを重ねるように載せ終えると、載上台４０がステージ６７の小束載上面６７Ａに上下搬送最大数以下の小束ＢＵしか載っていないために伸縮部６６を目一杯伸長している状態で、載上台駆動部６０を制御して当該載上台４０を上昇させる。
【０２０５】
そして制御部３０は、上昇位置センサを介して載上台４０の台座６５が上昇位置まで上昇したことを検出すると、その時点で載上台駆動部６０による載上台４０の上昇を停止させる。
【０２０６】
これにより制御部３０は、載上台４０においてステージ６７の小束載上面６７Ａを小束受渡位置ＢＰまで上昇させて、当該小束載上面６７Ａ上の上下搬送最大数以下の小束ＢＵを小束受渡空間ＤＳに収容することができ、かくして行員に入出金口２６Ａを介して、その小束ＢＵを引き渡すことができる。
【０２０７】
さらに制御部３０は、小束入金時、上述した施封小束収納時と同様に、載上台昇降部４１においてステージ６７の小束載上面６７Ａを小束受渡位置ＢＰまで上昇させる。これにより制御部３０は、行員から入出金口２６Ａを介して上下搬送最大数以下の小束ＢＵをステージ６７の小束載上面６７Ａで受け取ることができる。
【０２０８】
そして制御部３０は、このようにステージ６７の小束載上面６７Ａで入金用の小束ＢＵを受け取ると、上述した施封小束収納時と同様に、載上台昇降部４１においてステージ６７上の小束ＢＵの小束最上面を小束保持位置まで下降させる。これにより制御部３０は、ステージ６７上の小束ＢＵを小束ハンド部４７によって保持させた後、後方向へ搬送させることができる。
【０２０９】
また制御部３０は、この際、ステージ６７の小束載上面６７Ａに入金用の小束ＢＵが２個以上載せられていると、例えば、載上台駆動部６０を制御して載上台４０を１個の小束ＢＵの厚み分だけ上昇させた後、その載上台駆動部６０による載上台４０の上昇を停止させる。
【０２１０】
これにより制御部３０は、ステージ６７上の小束ＢＵの小束最上面を再び小束保持位置に到達させ、かくしてステージ６７上の小束ＢＵを小束ハンド部４７によって保持させた後、後方向へ搬送させることができる。
【０２１１】
このようにして制御部３０は、ステージ６７の小束載上面６７Ａに載っている上下搬送最大数を上限とする入金用の小束ＢＵを順次、小束ハンド部４７によって保持させた後、後方向へ搬送させることができる。
【０２１２】
さらに制御部３０は、小束精査時、上述した小束出金時と同様に、載上台昇降部４１においてステージ６７の小束載上面６７Ａを小束載上位置まで下降させる。これにより制御部３０は、小束ハンド部４７により前方向へ搬送される小束ＢＵをステージ６７の小束載上面６７Ａで受け取ることができる。
【０２１３】
また制御部３０は、載上台昇降部４１において載上台駆動部６０を制御して載上台４０を下降させる。そして制御部３０は、上述した小束出金時と同様に、引き続きステージ６７上の小束ＢＵの小束最上面を小束載上位置まで下降させ、かくして小束ハンド部４７により前方向へ搬送される２個目の小束ＢＵを当該ステージ６７の小束載上面６７Ａで受け取ることができる。
【０２１４】
このようにして制御部３０は、プッシャ部４８により小束金庫４２乃至４５から小束ＢＵが取り出されると共に、その小束ＢＵが小束ハンド部４７により保持される毎に、載上台昇降部４１において同様にステージ６７上の小束ＢＵの小束最上面を小束載上位置まで下降させ、小束載上面６７Ａで、その小束ＢＵを受け取る。
【０２１５】
そして制御部３０は、プッシャ部４８により小束金庫４２乃至４５から取り出された小束ＢＵの個数が上下搬送最大数以下である間は、載上台昇降部４１において載上台４０の伸縮部６６を目一杯伸長している状態でステージ６７上の小束ＢＵの小束最上面を小束載上位置へ順次下降させながら、小束載上面６７Ａに小束ＢＵを載せている。
【０２１６】
ただし、制御部３０は、プッシャ部４８により小束金庫４２乃至４５から取り出された小束ＢＵの個数が上下搬送最大数を上回ると、ステージ６７の小束載上面６７Ａに、その小束ＢＵを載せる毎に、小束載上面６７Ａに加わる荷重の増加に応じて伸縮部６６を徐々に圧縮させ、最終的には目一杯圧縮させることになる。
【０２１７】
そして図１０に示すように、制御部３０は、例えば、載上台駆動部６０を制御して載上台４０を下降させ、下降位置センサを介して台座６５が下降位置まで上昇したことを検出すると、その時点で載上台駆動部６０による載上台４０の下降を停止させるものの、この際、載上台昇降空間ＥＳの下端近傍に載上台４０を、伸縮部６６を目一杯圧縮した状態で位置させることができる。
【０２１８】
これにより制御部３０は、ステージ６７の小束載上面６７Ａと小束載上位置との間に、例えば、収納最大数と同数の小束ＢＵを順に重ねた状態で収納可能な空間を確保することができる。
【０２１９】
よって制御部３０は、小束金庫４２乃至４５に精査対象として収納最大数の小束ＢＵが収納されている場合でも、その小束ＢＵを全て載上台４０のステージ６７上に順次移しながら精査することができる。
【０２２０】
（１−４）上下ユニットロック部の構成
係る構成に加えて、図１１及び図１２に示すように、上段ユニット２１及び下段ユニット２２には、これらを一体化した状態にロックし、また載上台昇降部４１による載上台４０の昇降に応じて、そのロックを解除し得ない状態、及び解除し得る状態に切り換えるための上下ユニットロック部１２０が設けられている。
【０２２１】
因みに、以下の説明では、上段ユニット２１と下段ユニット２２とのロックを解除し得ない状態を、ロック解除不可状態とも呼び、そのロックを解除し得る状態を、ロック解除可能状態とも呼ぶ。
【０２２２】
上下ユニットロック部１２０は、上段ユニット２１及び下段ユニット２２を一体化した状態にロックするための略短冊板状のロックレバー１２１と、そのロックレバー１２１よりも幅広なレバー支持板１２２とを有している。
【０２２３】
レバー支持板１２２は、例えば、下ユニット筐体２７（図１１には図示せず）の右側面において載上台昇降空間ＥＳの後側で、かつ小束搬送空間ＴＳの下側（すなわち、小束金庫４２乃至４５の上端の高さ位置よりも下側）の所定位置に、当該レバー支持板１２２の幅方向を上下方向と平行にして一面を右側に向けて配置されている。そしてレバー支持板１２２は、一面の中央下端寄りの所定位置に、レバー回動軸１２３が垂設されている。
【０２２４】
一方、ロックレバー１２１は、一面の中央部に軸挿入孔部が穿設されている。そしてロックレバー１２１は、その長手方向（以下、これをロックレバー長手方向とも呼ぶ）の一端を後側に位置させると共に、他端を前側に位置させて軸挿入孔部にレバー回動軸１２３が挿入されている。
【０２２５】
これによりレバー支持板１２２は、レバー回動軸１２３を介してロックレバー１２１を、右側から見て時計回り方向となるロック用の回転方向（以下、これをロック回転方向とも呼ぶ）、及びこれとは逆の反時計回り方向となるロック解除用の回転方向（以下、これを解除回転方向とも呼ぶ）へ回動可能に支持している。
【０２２６】
ところで、ロックレバー１２１は、例えば、一端の上隅部に略Ｊ字状のピン係合爪部１２１Ａが溝部及び先端の傾斜部を下側に向けて、その一端から後側に突出するように設けられている。
【０２２７】
またロックレバー１２１は、上端面の他端側に短冊状の係合突起１２１Ｂが、その他端よりも前側へ突出するように設けられている。さらにロックレバー１２１は、上端部において軸挿入孔部の前斜め上側の所定位置に、ばね係止部１２１Ｃが設けられている。
【０２２８】
またレバー支持板１２２は、一面の上端部においてロックレバー１２１のばね係止部１２１Ｃの上側に、ばね係止突起１２４が垂設されている。さらにレバー支持板１２２は、一面の後端部においてレバー回動軸１２３の後斜め下側の所定位置に、レバー回転規制板１２５が垂設されている。
【０２２９】
そして上下ユニットロック部１２０は、コイルばね１２６の一端部がレバー支持板１２２のばね係止突起１２４に係止されると共に、当該コイルばね１２６の他端部がロックレバー１２１のばね係止部１２１Ｃに係止されている。これにより上下ユニットロック部１２０は、コイルばね１２６によってロックレバー１２１をロック回転方向へ回転するように付勢している。
【０２３０】
ただし、上下ユニットロック部１２０は、コイルばね１２６の付勢によるロックレバー１２１のロック回転方向への回転を例えば、ロックレバー長手方向を前後方向とほぼ平行にするロック位置でピン係合爪部１２１Ａの根元部分をレバー回転規制板１２５に突き当てて規制している。
【０２３１】
すなわち、上下ユニットロック部１２０は、ロックレバー１２１に解除回転方向へ回転させるような外力が加えられると、これに応じて当該ロックレバー１２１を解除回転方向へ回転させ、その外力が除かれると、ロックレバー１２１をコイルばね１２６の付勢に従いロック回転方向のロック位置まで回転させて、その回転を停止させている。
【０２３２】
そして上下ユニットロック部１２０は、例えば、上ユニット筐体２５の右下端に、ピン保持板１２８が一面をレバー支持板１２２の一面と所定の隙間を空けて対向させるようにして設けられると共に、当該ピン保持板１２８の一面の所定位置に円柱状のロックピン１２９が垂設されている。
【０２３３】
よって上下ユニットロック部１２０は、例えば、支払機筐体２０に上段ユニット２１が収納された後、下段ユニット２２が収納のために後方向へ移動すると、ロックレバー１２１のピン係合爪部１２１Ａの傾斜部をロックピン１２９に押し付けて摺動させ、そのロックレバー１２１を解除回転方向へ回転させる。
【０２３４】
また上下ユニットロック部１２０は、下段ユニット２２の後方向への移動に伴い、ロックレバー１２１のピン係合爪部１２１Ａの先端がロックピン１２９を乗り越えると、そのロックレバー１２１をコイルばね１２６の付勢に従いロック回転方向のロック位置まで回転させて当該ピン係合爪部１２１Ａの溝にロックピン１２９を収容させる。
【０２３５】
このようにして上下ユニットロック部１２０は、支払機筐体２０に上段ユニット２１が収納された後、下段ユニット２２が収納されると、ロックレバー１２１のピン係合爪部１２１Ａをロックピン１２９に係合させて、当該上段ユニット２１及び下段ユニット２２を一体化した状態にロックすることができる。
【０２３６】
また上下ユニットロック部１２０は、このように支払機筐体２０内で上段ユニット２１と下段ユニット２２とを一体化した状態にロックしているため、これらのメンテナンス等のときには、上述したように支払機筐体２０から上段ユニット２１及び下段ユニット２２を一体化したまま前方向へ引き出させている。
【０２３７】
そして上下ユニットロック部１２０は、支払機筐体２０から上段ユニット２１及び下段ユニット２２が引き出された状態で、行員等によりロックレバー１２１の他端部を手で押し下げるように操作されると、その操作に応じてロックレバー１２１を解除回転方向へ回転させてピン係合爪部１２１Ａをロックピン１２９から離隔させる。
【０２３８】
これにより上下ユニットロック部１２０は、上段ユニット２１と下段ユニット２２とのロックを解除し、そのロックの解除の間に上段ユニット２１を後方向へ任意の距離だけ移動させて下段ユニット２２の上からずらさせることができる。
【０２３９】
因みに、以下の説明では、上段ユニット２１と下段ユニット２２とのロックを解除するために行員等によって行われる、ロックレバー１２１の他端部を手で押し下げるような操作を、ロック解除操作とも呼ぶ。
【０２４０】
これに加えて、上下ユニットロック部１２０は、例えば、小束金庫４２乃至４５の高さよりも短い所定の長さの略Ｊ字板状のスライドレバー１３０と、所定の大きさの略Ｌ字板状の回転規制部１３１とを有している。
【０２４１】
スライドレバー１３０は、例えば、その長手方向（以下、これをスライドレバー長手方向とも呼ぶ）に沿って、一面に一端部から中央部までに亘る細長いガイド孔部（以下、これを一端側ガイド孔部とも呼ぶ）１３０Ａと、当該中央部から他端部までに亘る細長いガイド孔部（以下、これを他端側ガイド孔部とも呼ぶ）１３０Ｂとが順に穿設されている。
【０２４２】
また下ユニット筐体２７は、右側面において載上台昇降空間ＥＳの右横で、かつ小束金庫４２乃至４５の上端の高さ位置よりも下側の所定の上下２箇所に円柱状のスライドガイドピン１３２、１３３が垂設されている。
【０２４３】
そしてスライドレバー１３０は、スライドレバー長手方向を上下方向と平行にして一端部を上側に位置させ、かつ他端部を一端部よりも下側に位置させた姿勢で、一端側ガイド孔部１３０Ａ及び他端側ガイド孔部１３０Ｂに上下２個のスライドガイドピン１３２、１３３が挿入されている。これにより下ユニット筐体２７は、右側面にスライドレバー１３０を上下２個のスライドガイドピン１３２、１３３を介して上下方向へスライド可能に支持している。
【０２４４】
またスライドレバー１３０は、その後端面の一端部に、ロックレバー１２１による上段ユニット２１及び下段ユニット２２のロック状態をロック解除不可状態とロック解除可能状態とに切り換えるための、前端面の上隅側へ傾斜する（すなわち、前斜め上方向と平行に傾斜する）傾斜部１３０Ｃが形成されている。
【０２４５】
そして上下ユニットロック部１２０では、例えば、スライドレバー１３０を下方向へスライドさせたとき傾斜部１３０Ｃをロックレバー１２１の他端の前側に位置させ、上方向へスライドさせたとき傾斜部１３０Ｃを小束搬送空間ＴＳの前側に位置させるようなスライド範囲で上下方向へスライド可能なように、当該スライドレバー１３０の長さや上下２個のスライドガイドピン１３２、１３３の配置位置等が適宜選定されている。
【０２４６】
因みに、スライドレバー１３０を上下方向へスライドさせたときに傾斜部１３０Ｃが変位可能な位置のうち、最も下となるロックレバー１２１の他端の前側の位置は、ロックレバー１２１による上段ユニット２１及び下段ユニット２２のロック状態をロック解除可能状態にする位置（以下、これをロック解除可能位置とも呼ぶ）となる。
【０２４７】
またスライドレバー１３０を上下方向へスライドさせたときに傾斜部１３０Ｃが変位可能な位置のうち、ロックレバー１２１の他端の前斜め上側の位置は、ロックレバー１２１による上段ユニット２１及び下段ユニット２２のロック状態をロック解除不可状態にする位置（以下、これをロック解除不可位置とも呼ぶ）となる。
【０２４８】
よってスライドレバー１３０を上下方向へスライドさせたときに傾斜部１３０Ｃが変位する範囲のうち、ロック解除可能位置からロック解除不可位置までの範囲は、ロックレバー１２１による上段ユニット２１及び下段ユニット２２のロック状態を切り換えるための範囲（以下、これをロック状態切換範囲とも呼ぶ）となる。
【０２４９】
さらにスライドレバー１３０を上下方向へスライドさせたときに傾斜部１３０Ｃが変位する範囲のうち、ロック解除不可位置から上の範囲は、ロック解除不可状態を維持し得る範囲（以下、これをロック状態維持範囲とも呼ぶ）となる。
【０２５０】
またスライドレバー１３０は、後端面において他端寄りの所定位置に、ばね係止部１３０Ｄが突設されている。さらに下ユニット筐体２７は、右側面においてスライドレバー１３０の他端の後斜め下側の所定位置に、ばねプーリ１３５を左右方向と平行なプーリ回動軸を介して回動可能に支持すると共に、そのばねプーリ１３５の上側の所定位置に、ばね係止突起１３６が垂設されている。
【０２５１】
そして上下ユニットロック部１２０は、比較的長いコイルばね１３７が、その一端部を下ユニット筐体２７のばね係止突起１３６に係止し、他端部をスライドレバー１３０のばね係止部１３０Ｄに係止した状態でばねプーリ１３５に張架されている。これにより上下ユニットロック部１２０は、コイルばね１３７によってスライドレバー１３０を下方向へスライドさせるように付勢している。
【０２５２】
またスライドレバー１３０は、その前端面の一端部に、載上台４０の昇降に連動して上下方向へスライドするための略四角板状の載上台係合部１３０Ｅが前側へ突設されている。
【０２５３】
さらに載上台昇降部４１の載上台４０は、例えば、右側ベルト係止部９２の一端に、スライドレバー１３０の載上台係合部１３０Ｅに対応する略四角板状のレバー係合部９２Ａが右側へ突出するように設けられている。
【０２５４】
これにより上下ユニットロック部１２０では、例えば、載上台４０がロックレバー１２１の高さ位置よりも下側へ下降していると、載上台係合部１３０Ｅからレバー係合部９２Ａが下側へ離隔しているため、スライドレバー１３０をコイルばね１３７の付勢に従いスライド範囲の下限位置までスライドさせておくことができる。
【０２５５】
また上下ユニットロック部１２０は、載上台４０が上昇すると、レバー係合部９２Ａがロック解除可能位置付近に到達した際に、そのレバー係合部９２Ａの上端をスライドレバー１３０の載上台係合部１３０Ｅの下端に押し付けて係合させることができる。
【０２５６】
そして上下ユニットロック部１２０は、載上台４０がレバー係合部９２Ａを載上台係合部１３０Ｅに係合させたままさらに上昇すると、これに応じてスライドレバー１３０を上方向へスライドさせることができる。
【０２５７】
このようにして上下ユニットロック部１２０は、例えば、載上台４０がステージ６７をステージ昇降範囲の上限位置まで上昇させた状態で小束載上面６７Ａが小束受渡位置に到達した際には、スライドレバー１３０をスライド範囲の上限位置付近までスライドさせることができる。
【０２５８】
さらに上下ユニットロック部１２０は、載上台４０の上昇に応じてスライドレバー１３０を上方向へスライドさせた後、その載上台４０が下降したときには当該スライドレバー１３０をコイルばね１３７の付勢に従い、載上台４０の下降に追従させて下方向へ（すなわち、スライド範囲の下限位置まで）スライドさせることができる。
【０２５９】
一方、回転規制部１３１は、一面の一端部に軸挿入孔部が穿設されている。また回転規制部１３１は、他端側外面１３１Ａの端部にローラ支持板１３１Ｂが外側へ突設されると共に、そのローラ支持板１３１Ｂにガイドローラ１４０が一面と垂直なローラ回動軸を介して回動可能に設けられている。
【０２６０】
さらに回転規制部１３１は、他端側外面１３１Ａと一端側外面１３１Ｃとの角部に、ロックレバー１２１の係合突起１２１Ｂに対応する一端側への凹部１３１Ｄが形成されている。
【０２６１】
また下ユニット筐体２７は、右側面においてスライドレバー１３０よりも後側で、かつロックレバー１２１の他端の前斜め下近傍の所定位置に、円柱状の規制部回動軸１４１が垂設されている。
【０２６２】
そして回転規制部１３１は、一端部を下側に位置させ、かつ他端部を当該一端部の前斜め上側に位置させて、軸挿入孔部に規制部回動軸１４１が挿入されている。これにより下ユニット筐体２７は、右側面に回転規制部１３１を、規制部回動軸１４１を介してロック回転方向及び解除回転方向へ回動可能に支持している。
【０２６３】
また回転規制部１３１は、他端側内面の端部に、図示しないばね係止部が設けられている。さらに下ユニット筐体２７は、右側面において規制部回動軸１４１の前斜め下側となるスライドレバー１３０の後端面の近傍の所定位置に、図示しないばね係止突起が垂設されている。
【０２６４】
そして上下ユニットロック部１２０は、コイルばね１４２の一端部が下ユニット筐体２７の図示しないばね係止突起に係止されると共に、当該コイルばね１４２の他端部が回転規制部１３１の図示しないばね係止部に係止されている。
【０２６５】
これにより上下ユニットロック部１２０は、コイルばね１４２によって回転規制部１３１を解除回転方向へ回転させるように付勢して、その回転規制部１３１のガイドローラ１４０を後側からスライドレバー１３０に押し付けている。
【０２６６】
実際に上下ユニットロック部１２０（図１２）は、スライドレバー１３０がスライド範囲の下限位置までスライドして傾斜部１３０Ｃをロック解除可能位置に位置させていると、回転規制部１３１をコイルばね１４２の付勢に従い解除回転方向のレバー回転可能位置まで回転させてガイドローラ１４０を傾斜部１３０Ｃに押し付ける。
【０２６７】
よって上下ユニットロック部１２０は、回転規制部１３１の他端側外面１３１Ａを前斜め下方向と平行に傾斜させて凹部１３１Ｄと共に、ロック位置に停止しているロックレバー１２１の係合突起１２１Ｂの先端から前斜め下側へ離隔させる。
【０２６８】
これにより上下ユニットロック部１２０は、ロックレバー１２１をロック位置から解除回転方向へ回転可能にして、上段ユニット２１及び下段ユニット２２のロック状態をロック解除可能状態にする。
【０２６９】
すなわち、上下ユニットロック部１２０は、回転規制部１３１がレバー回転可能位置まで回転すると、上段ユニット２１及び下段ユニット２２をロック解除可能状態にして、ロックレバー１２１をロック位置から解除回転方向へ回転可能な状態にしている。
【０２７０】
従って、上下ユニットロック部１２０は、このように上段ユニット２１及び下段ユニット２２をロック解除可能状態にしていると、例えば、上述したように支払機筐体２０に上段ユニット２１が収納された後、下段ユニット２２が収納された場合、ロックレバー１２１により当該上段ユニット２１及び下段ユニット２２をロックすることができる。
【０２７１】
また上下ユニットロック部１２０は、このように上段ユニット２１及び下段ユニット２２をロック解除可能状態にしていると、例えば、ロックレバー１２１により上段ユニット２１及び下段ユニット２２を既にロックしている場合には、ロック解除操作によりロックレバー１２１を解除回転方向へ回転させて上段ユニット２１と下段ユニット２２とのロックを解除させることができる。
【０２７２】
そして図１３及び図１４に示すように、上下ユニットロック部１２０は、上段ユニット２１及び下段ユニット２２をロックした状態で、載上台４０の上昇に連動してスライドレバー１３０をスライド範囲の下限位置から上方向へスライドさせると、そのスライドレバー１３０の傾斜部１３０Ｃがロック解除可能位置からロック解除不可位置までのロック状態切換範囲で上方向へ変位している間はガイドローラ１４０の押付位置を当該傾斜部１３０Ｃ上で後端面側へ変位させる。
【０２７３】
よって上下ユニットロック部１２０は、この際、スライドレバー１３０の傾斜部１３０Ｃによりガイドローラ１４０と共に回転規制部１３１の他端部を持ち上げるようにして、当該回転規制部１３１をレバー回転可能位置からロック回転方向へ回転させる。
【０２７４】
また上下ユニットロック部１２０は、スライドレバー１３０の上方向へのスライドにより傾斜部１３０Ｃがロック解除不可位置まで変位すると、スライドレバー１３０に対するガイドローラ１４０の押付位置を傾斜部１３０Ｃから後端面へ変位させて、回転規制部１３１をロック回転方向の回転規制位置まで回転させる。
【０２７５】
これにより上下ユニットロック部１２０は、回転規制部１３１の他端側外面１３１Ａの一部をロックレバー１２１の係合突起１２１Ｂの下面の先端部に近接又は押し付けさせて、ロックレバー１２１をロック位置から解除回転方向へは回転し得ないように規制する。
【０２７６】
このようにして上下ユニットロック部１２０は、スライドレバー１３０の傾斜部１３０Ｃがロック解除可能位置からロック解除不可位置まで変位して回転規制部１３１が回転規制位置まで回転すると、上段ユニット２１及び下段ユニット２２のロック状態をロック解除可能状態からロック解除不可状態へ切り換えて、ロックレバー１２１をロック解除操作しようとしても、解除回転方向へは回転させずにロック位置に留めることができる。
【０２７７】
ところで、上下ユニットロック部１２０では、ロックレバー１２１や回転規制部１３１等の配置位置が、小束受渡位置ＢＰから下側へ比較的離した所定位置（すなわち、小束搬送空間ＴＳの下側の所定位置）となるように適宜選定されている。
【０２７８】
このため、上下ユニットロック部１２０は、載上台４０においてステージ６７の小束載上面６７Ａに上下搬送最大数の小束ＢＵが載せられて伸縮部６６が目一杯伸長していても、その上下搬送最大数の小束ＢＵの小束最上面が小束受渡位置ＢＰの下側に位置しているうちに（すなわち、ステージ６７上の上下搬送最大数の小束ＢＵが何れも小束受渡空間ＤＳに入り込んでいない状態）で、上段ユニット２１及び下段ユニット２２のロック状態をロック解除可能状態からロック解除不可状態へ切り換えている。
【０２７９】
そして図１５に示すように、上下ユニットロック部１２０は、スライドレバー１３０が上方向へさらにスライドして傾斜部１３０Ｃがロック状態維持範囲に位置していると、ガイドローラ１４０をスライドレバー１３０の後端面に押し付けたままにして、回転規制部１３１が回転規制位置まで回転した状態を維持する。
【０２８０】
このようにして上下ユニットロック部１２０は、スライドレバー１３０が上方向へスライドして回転規制部１３１が回転規制位置まで回転している間は、上段ユニット２１及び下段ユニット２２に対するロック解除不可状態を維持して、ロックレバー１２１をロック解除操作しようとしても、そのロックレバー１２１をロック位置に留めることができる。
【０２８１】
すなわち、上下ユニットロック部１２０は、例えば、載上台４０の伸縮部６６が目一杯伸長したままでステージ６７の小束載上面６７Ａに上下搬送最大数の小束ＢＵが載っていると、その上下搬送最大数の小束ＢＵの小束最上面が小束受渡位置ＢＰに到達する前に上段ユニット２１及び下段ユニット２２のロック状態をロック解除可能状態からロック解除不可状態に切り換え、そのロック解除不可状態を維持したままステージ６７上の上下搬送最大数の小束ＢＵを全て小束受渡空間ＤＳに収容させている。
【０２８２】
ところで、上段ユニット２１（図１１乃至図１５）は、上述したように小束受渡位置ＢＰの上側となる上ユニット筐体２５の前端部に入出金口２６Ａ用のシャッタ３７とシャッタ駆動部１４５とから構成されるシャッタ開閉部３８が配置されている。
【０２８３】
そして制御部３０は、施封小束収納時や小束精査時には、常時、入出金口２６Ａに対してシャッタ３７を閉じている。また制御部３０は、小束出金時には、出金用の小束ＢＵを載せたステージ６７の小束載上面６７Ａを小束受渡位置ＢＰまで上昇させて、その小束ＢＵを小束受渡空間ＤＳに収容すると、入出金口２６Ａに対してシャッタ３７を開いて行員に小束ＢＵを引き渡し、このように行員に小束ＢＵを引き渡すとき以外はシャッタ３７を閉じている。
【０２８４】
さらに制御部３０は、小束入金時には、ステージ６７の小束載上面６７Ａを小束受渡位置ＢＰまで上昇させて入出金口２６Ａに対してシャッタ３７を開き、行員からステージ６７の小束載上面６７Ａで入金用の小束ＢＵを受け取ると、入出金口２６Ａに対してシャッタ３７を閉じたうえでステージ６７の小束載上面６７Ａを小束受渡位置ＢＰから下降させ、このように行員から小束ＢＵを受け取るとき以外はシャッタ３７を閉じている。
【０２８５】
また制御部３０は、上段ユニット２１及び下段ユニット２２に設けられた複数種類のセンサを介して施封小束収納時や小束出金時、小束入金時、小束精査時には、当該上段ユニット２１及び下段ユニット２２の動作状態を監視している。
【０２８６】
この状態で制御部３０は、これら複数種類のセンサを介して上段ユニット２１や下段ユニット２２で紙幣や小束ＢＵの搬送不良、また小束金庫４２乃至４５に対する小束ＢＵの収納不良や取出不良のような動作不良が発生したことを検知すると、その時点で上段ユニット２１及び下段ユニット２２の動作を強制的に停止させる。
【０２８７】
すなわち、制御部３０は、上段ユニット２１や下段ユニット２２で動作不良が発生したとき、そのまま動作させ続けると、その動作不良が当該上段ユニット２１や下段ユニット２２の故障の原因になりかねないため、動作不良の検知に応じて直ちに上段ユニット２１及び下段ユニット２２の動作を強制的に停止させている。
【０２８８】
そして制御部３０は、このように動作不良の発生により上段ユニット２１及び下段ユニット２２の動作を強制的に停止させると、その旨を行員に例えば、制御装置１２を介して通知することで、支払機筐体２０から上段ユニット２１及び下段ユニット２２を引き出させて、正常に動作するように復帰させるための作業を行わせている。
【０２８９】
ただし、制御部３０は、例えば、入出金口２６Ａに対しシャッタ３７を閉じたまま、ステージ６７上の上下搬送最大数以下の小束ＢＵの少なくとも一部（すなわち、１個の小束ＢＵの上側部分や１又は複数の小束ＢＵ）が小束受渡空間ＤＳに入り込んだ状態で動作不良が発生すると、その状態で上段ユニット２１及び下段ユニット２２の動作を強制的に停止させることになる。
【０２９０】
そして制御部３０は、ステージ６７上の小束ＢＵが小束受渡空間ＤＳに入り込んだ状態で、支払機筐体２０から上段ユニット２１及び下段ユニット２２を引き出させ、その動作不良の種類によっては、下段ユニット２２に対し上段ユニット２１を後方向へずらさせて、正常に動作するように復帰させるための作業を行わせる必要がある。
【０２９１】
しかしながら、上下ユニットロック部１２０は、上述したようにステージ６７上の上下搬送最大数以下の小束ＢＵの少なくとも一部が小束受渡空間ＤＳに入り込んでいると、上段ユニット２１及び下段ユニット２２のロック状態をロック解除不可状態にしている。
【０２９２】
このため、上下ユニットロック部１２０は、この際、ステージ６７上の上下搬送最大数以下の小束ＢＵの少なくとも一部が小束受渡空間ＤＳに入り込んだまま、上段ユニット２１及び下段ユニット２２のロックが解除され、下段ユニット２２に対し上段ユニット２１が後方向へずらされることを回避することができる。
【０２９３】
これにより上下ユニットロック部１２０は、この際、小束受渡空間ＤＳに入り込んでいるステージ６７上の小束ＢＵにシャッタ３７が当たって、その小束ＢＵが破損し、又はその小束ＢＵがステージ６７から落下して紛失することを未然に回避することができる。
【０２９４】
そして図１６に示すように、制御部３０は、このように上段ユニット２１及び下段ユニット２２の動作を強制的に停止させた際、上下ユニットロック部１２０が上段ユニット２１及び下段ユニット２２をロック解除不可状態にしていると、行員や作業者の指示のもと、載上台４０を下降させると共に、その下降に追従させてスライドレバー１３０を下方向へスライドさせる。
【０２９５】
これにより上下ユニットロック部１２０は、上述したスライドレバー１３０を上方向へスライドさせるときとは逆の手順で、小束受渡位置ＢＰからステージ６７上の小束ＢＵを全て下側へ抜け出させたうえで、スライドレバー１３０の傾斜部１３０Ｃをロック状態切換範囲の上限位置であるロック解除不可位置、及び下限位置であるロック解除可能位置へ順次変位させる。
【０２９６】
そして上下ユニットロック部１２０は、そのスライドレバー１３０の傾斜部１３０Ｃがロック状態切換範囲で下方向へ変位する間に、回転規制部１３１を回転規制位置から解除回転方向のレバー回転可能位置まで回転させる。
【０２９７】
従って、上下ユニットロック部１２０は、上段ユニット２１及び下段ユニット２２のロック状態をロック解除不可状態からロック解除可能状態に切り換えて、ロックレバー１２１をロック位置から解除回転方向へ回転可能にすることができる。
【０２９８】
よって図１７に示すように、上下ユニットロック部１２０は、ロック解除操作によりロックレバー１２１を解除回転方向へ回転させて上段ユニット２１と下段ユニット２２とのロックを解除させ、ステージ６７上の小束ＢＵにシャッタ３７を何ら接触させることなく下段ユニット２２に対し上段ユニット２１を後方向へずらさせて、正常に動作するように復帰させるための作業を行わせることができる。
【０２９９】
（１−５）実施の形態の動作及び効果
以上の構成において、施封小束支払機３では、上段ユニット２１の前下端部内に小束受渡空間ＤＳを形成すると共に、当該上段ユニット２１の上側正面パネル２６の下端部に、外部と小束受渡空間ＤＳとを連通する入出金口２６Ａを形成するようにした。
【０３００】
また施封小束支払機３では、下段ユニット２２の前端部に小束受渡空間ＤＳと繋がる載上台昇降空間ＥＳを形成し、その載上台昇降空間ＥＳを介して紙幣の小束ＢＵを上下方向へ搬送するための載上台４０を、台座６５上に上下方向へ伸縮可能な伸縮部６６を介して、紙幣の小束ＢＵを載上可能なステージ６７を設けて形成するようにした。
【０３０１】
そして施封小束支払機３では、載上台４０の伸縮部６６を、ステージ６７上の小束ＢＵの個数が上下搬送最大数以下であると伸長してステージ６７を押し上げ、当該上下搬送最大数よりも多いと、上下搬送最大数以下の伸長時よりも圧縮してステージ６７を引き下げるように形成するようにした。また施封小束支払機３では、載上台４０の台座６５を当該載上台４０の昇降用に駆動する載上台昇降部４１を設けるようにした。
【０３０２】
そして施封小束支払機３は、小束ＢＵの上下方向への搬送時、ステージ６７上の小束ＢＵの個数が上下搬送最大数以下の状態で、載上台駆動部６０により載上台４０の台座６５を駆動して当該ステージ６７の小束載上面６７Ａを小束受渡空間ＤＳと載上台昇降空間ＥＳとの境界位置のような所望の小束受渡位置ＢＰまで上昇させ、また当該小束受渡位置ＢＰよりも下側の所定位置まで下降させる。
【０３０３】
従って施封小束支払機３では、小束ＢＵの上下方向への搬送時、載上台駆動部６０により載上台４０の台座６５を小束受渡位置ＢＰよりも下側まで上昇させても、その載上台４０の伸縮部６６を伸長したままステージ６７の小束載上面６７Ａを小束受渡位置ＢＰまで上昇させることができる。
【０３０４】
よって施封小束支払機３は、載上台４０を昇降用に駆動するための載上台駆動部６０を、小束受渡空間ＤＳ側に配置される入出金口２６Ａ用のシャッタ開閉部３８の配置スペースの制約を受けずに、小束受渡位置ＢＰよりも下側に配置することができる。
【０３０５】
以上の構成によれば、施封小束支払機３は、小束受渡空間ＤＳと繋がる載上台昇降空間ＥＳを介して紙幣の小束ＢＵを上下方向へ搬送するための載上台４０を、台座６５上に上下方向へ伸縮可能な伸縮部６６を介してステージ６７を設けて形成すると共に、その伸縮部６６を、ステージ６７上の小束ＢＵの個数が上下搬送最大数以下であると伸長してステージ６７を押し上げ、当該上下搬送最大数よりも多いと圧縮してステージ６７を引き下げるように形成し、ステージ６７上の小束ＢＵの個数を上下搬送最大数以下にした状態で、載上台駆動部６０により載上台４０の台座６５を駆動して当該ステージ６７の小束載上面６７Ａを小束受渡位置ＢＰまで上昇させるようにした。
【０３０６】
これにより施封小束支払機３は、小束ＢＵの上下方向への搬送時、載上台駆動部６０により載上台４０の台座６５を小束受渡位置ＢＰよりも下側まで上昇させても、その載上台４０の伸縮部６６を伸長させてステージ６７の小束載上面６７Ａを当該台座６５よりも上側の小束受渡位置ＢＰまで上昇させることができる。その結果、施封小束支払機３は、載上台駆動部６０を、小束受渡空間ＤＳ側に配置される入出金口２６Ａ用のシャッタ開閉部３８の配置スペースの制約を何ら受けずに小束受渡位置ＢＰよりも下側に配置することができ、当該施封小束支払機３全体を小型化することができる。
【０３０７】
また施封小束支払機３では、施封小束収納時や小束出金時、小束入金時にステージ６７の小束載上面６７Ａで小束ＢＵを受け取る場合、制御部３０により、そのステージ６７の小束載上面６７Ａに小束ＢＵを載せない状態で、載上台駆動部６０を介して載上台４０の台座６５を駆動して当該ステージ６７の小束載上面６７Ａを小束受渡位置ＢＰまで上昇させるようにした。
【０３０８】
これにより施封小束支払機３は、施封小束収納時や小束出金時、小束入金時にステージ６７の小束載上面６７Ａで小束ＢＵを受け取る際、載上台４０の台座６５を小束受渡位置ＢＰよりも下側まで上昇させても、その載上台４０の伸縮部６６を伸長させてステージ６７の小束載上面６７Ａを小束受渡位置ＢＰまで上昇させて、当該ステージ６７の小束載上面６７Ａで小束ＢＵを受け取ることができる。
【０３０９】
さらに施封小束支払機３では、小束出金時、制御部３０により、小束ハンド部４７を介してステージ６７の小束載上面６７Ａに上下搬送最大数を上限とする出金用の小束ＢＵを載せた状態で、載上台駆動部６０を介して載上台４０の台座６５を駆動して当該ステージ６７の小束載上面６７Ａを小束受渡位置ＢＰまで上昇させるようにした。
【０３１０】
これにより施封小束支払機３は、小束出金時、載上台４０の台座６５を小束受渡位置ＢＰよりも下側まで上昇させても、その載上台４０の伸縮部６６を伸長させてステージ６７の小束載上面６７Ａを小束受渡位置ＢＰまで上昇させて、当該ステージ６７上の出金用の小束ＢＵを、入出金口２６Ａを介して行員に引き渡すことができる。
【０３１１】
さらに施封小束支払機３は、載上台４０の伸縮部６６にアーム支持部７８を介して菱格子状に組み合わせた複数のアーム７０乃至７７を設けると共に、当該アーム支持部７８と台座６５との間に圧縮コイルばね８７、８８を設けるようにした。
【０３１２】
従って施封小束支払機３は、載上台４０において伸縮部６６を、その伸縮用に圧縮コイルばね８７、８８を有する簡易な構成で、ステージ６７にかかる荷重の大きさに応じて容易に伸縮させることができる。
【０３１３】
よって施封小束支払機３は、載上台４０においてステージ６７に載せる小束ＢＵの個数を制限するだけの簡易な制御で、伸縮部６６を所望の長さに伸長させて当該ステージ６７を台座６５から所望の高さまで容易に上昇させることができる。
【０３１４】
さらに施封小束支払機３では、支払機筐体２０に対し上段ユニット２１と下段ユニット２２とをそれぞれ引出及び収納可能に設けると共に、これら上段ユニット２１と下段ユニット２２とが上下に位置するように一体化された際、当該上段ユニット２１及び下段ユニット２２を一体化した状態にロックする上下ユニットロック部１２０を設けるようにした。
【０３１５】
従って施封小束支払機３は、上段ユニット２１及び下段ユニット２２の動作を、動作不良の発生に応じて強制的に停止させた際、小束受渡空間ＤＳにステージ６７上の小束ＢＵの少なくとも一部が入り込んでいても、支払機筐体２０から上段ユニット２１及び下段ユニット２２を一体化したまま引き出させることができる。
【０３１６】
よって施封小束支払機３は、この際、支払機筐体２０から上段ユニット２１及び下段ユニット２２が別々に引き出されて、小束受渡空間ＤＳに入り込んでいたステージ６７上の小束ＢＵがシャッタ３７に当たり破損し、またステージ６７から落下して紛失することを防止することができる。
【０３１７】
また施封小束支払機３は、上下ユニットロック部１２０により載上台４０の上昇に応じて、小束受渡空間ＤＳにステージ６７上の上下搬送最大数を上限とする所定個数の小束ＢＵの一部でも入り込んでいる間は、上段ユニット２１及び下段ユニット２２のロックを解除し得ないロック解除不可状態にするようにした。
【０３１８】
従って施封小束支払機３は、小束受渡空間ＤＳにステージ６７上の小束ＢＵの少なくとも一部が入り込んでいる状態で、支払機筐体２０から上段ユニット２１及び下段ユニット２２が引き出されても、当該小束受渡空間ＤＳにステージ６７上の小束ＢＵの少なくとも一部が入り込んでいる間は、下段ユニット２２に対し上段ユニット２１が前後にずらされることを防止することができる。
【０３１９】
よって施封小束支払機３は、この際、支払機筐体２０から引き出された上段ユニット２１及び下段ユニット２２が前後にずらされて、小束受渡空間ＤＳに入り込んでいたステージ６７上の小束ＢＵがシャッタ３７に当たり破損し、またステージ６７から落下して紛失することを確実に防止することができる。
【０３２０】
さらに施封小束支払機３は、上下ユニットロック部１２０により載上台４０の下降に応じて、小束受渡空間ＤＳからステージ６７上の上下搬送最大数を上限とする所定個数の小束ＢＵが全て下側に抜け出すと、上段ユニット２１及び下段ユニット２２のロック状態を、ロック解除不可状態からロックを解除し得るロック解除可能状態に切り換えるようにした。
【０３２１】
従って施封小束支払機３は、小束受渡空間ＤＳにステージ６７上の小束ＢＵの少なくとも一部が入り込んでいる状態で、支払機筐体２０から上段ユニット２１及び下段ユニット２２が引き出された際、当該小束受渡空間ＤＳからステージ６７上の小束ＢＵを全て抜き出したうえで、下段ユニット２２に対し上段ユニット２１が前後にずらさせることができる。
【０３２２】
さらに施封小束支払機３は、載上台駆動部６０に複数のベルトプーリ１００乃至１０３に張架した昇降駆動用のベルト１０５、１０６を設け、そのベルト１０５、１０６に載上台４０の台座６５を係止して当該台座６５を昇降させるようにした。
【０３２３】
従って施封小束支払機３は、載上台昇降空間ＥＳ内で載上台４０の台座６５を所望の位置まで下降させることができると共に、その際、ステージ６７に上下搬送最大数よりも多い小束ＢＵを載せることで、伸縮部６６を圧縮してステージ６７を台座６５に極力近づけることができる。
【０３２４】
よって施封小束支払機３は、載上台昇降空間ＥＳ内で載上台４０の台座６５を所望の位置まで下降させる際、ステージ６７上に極力多くの小束ＢＵを載せることができ、その結果、載上台昇降空間ＥＳをステージ６７上に複数の小束ＢＵを載せるようにして一時的に収納する収納庫として利用することができる。
【０３２５】
（２）他の実施の形態
（２−１）他の実施の形態１
なお上述した実施の形態においては、本発明による紙葉類取扱装置を、図１乃至図１７について上述した施封小束支払機３に適用するようにした場合について述べた。
【０３２６】
しかしながら本発明は、これに限らず、紙幣入出金機２（図１）や現金ポスト９（図１）、現金自動預払機、現金自動支払機（CD：Cash  Dispenser）、紙幣出金専用機、紙幣入金専用機、両替機、電車の切符や観劇のチケット等を販売する券売機、精算機、コピー機、複写機、葉書取扱装置等のように、紙幣や有価証券、切符、チケット、コピー用紙、葉書等の紙葉類を取り扱う、この他種々の紙葉類取扱装置に広く適用することができる。
【０３２７】
（２−２）他の実施の形態２
また上述した実施の形態においては、装置筐体として、図１乃至図１７について上述した上段ユニット２１及び下段ユニット２２を前側へ引き出させ、また前側から収納させる支払機筐体２０を適用するようにした場合について述べた。
【０３２８】
しかしながら本発明は、これに限らず、例えば、上段ユニット及び下段ユニットを後側へ引き出させ、また後側から収納させる支払機筐体や、引出及び収納可能なユニットが設けられていない装置筐体等のように、この他種々の構成の装置筐体を広く適用することができる。
【０３２９】
（２−３）他の実施の形態３
さらに上述した実施の形態においては、装置筐体の所定位置に形成された開口部として、図１乃至図１７について上述した上側正面パネル２６の下端部に形成された入出金口２６Ａを適用するようにした場合について述べた。
【０３３０】
しかしながら本発明は、これに限らず、上側正面パネル２６の下端部に形成された入金専用の入金口や出金専用の出金口、また小束受渡空間ＤＳの上側に形成された入出金口や入金口、出金口等のように、この他種々の開口部を広く適用することができる。
【０３３１】
（２−４）他の実施の形態４
さらに上述した実施の形態においては、収容空間に外部との受渡用に収容される紙葉類として、図１乃至図１７について上述した紙幣の小束ＢＵを適用するようにした場合について述べた。
【０３３２】
しかしながら本発明は、これに限らず、収容空間に外部との受渡用に収容される、ばらの状態（すなわち、施封していない状態）の紙幣や、施封した状態又はばらの状態の有価証券、施封した状態又はばらの状態の切符、施封した状態又はばらの状態のチケット、施封した状態又はばらの状態のコピー用紙、施封した状態又はばらの状態の葉書等のように、この他種々の紙葉類を広く適用することができる。
【０３３３】
（２−５）他の実施の形態５
さらに上述した実施の形態においては、装置筐体の所定位置に形成された開口部を介して外部と連通するように装置筐体内に形成され、紙葉類を外部との受渡用に収容するための収容空間として、図１乃至図１７について上述した上段ユニット２１に形成される小束受渡空間ＤＳを適用するようにした場合について述べた。
【０３３４】
しかしながら本発明は、これに限らず、引出及び収納可能なユニットが設けられていない装置筐体に形成される、収容対象の紙葉類に応じた大きさの収容空間のように、この他種々の構成の収容空間を広く適用することができる。
【０３３５】
（２−６）他の実施の形態６
さらに上述した実施の形態においては、装置筐体内の収容空間の下に当該収容空間と繋げるように形成され、紙葉類を上下方向へ搬送するための搬送空間として、図１乃至図１７について上述した下段ユニット２２に形成される載上台昇降空間ＥＳを適用するようにした場合について述べた。
【０３３６】
しかしながら本発明は、これに限らず、引出及び収納可能なユニットが設けられていない装置筐体に形成される、搬送対象の紙葉類に応じた大きさの搬送空間のように、この他種々の構成の搬送空間を広く適用することができる。
【０３３７】
（２−７）他の実施の形態７
さらに上述した実施の形態においては、紙葉類の上下方向への搬送用の台座として、図１乃至図１７について上述した載上台４０の台座６５を適用するようにした場合について述べた。しかしながら本発明は、これに限らず、例えば、伸縮部の種類に応じた取付構造を有する台座のように、この他種々の構成の台座を広く適用することができる。
【０３３８】
（２−８）他の実施の形態８
さらに上述した実施の形態においては、台座上に配置され、上面に紙葉類が上下方向への搬送用に載上されるステージとして、図１乃至図１７について上述した載上台４０のステージ６７を適用するようにした場合について述べた。
【０３３９】
しかしながら本発明は、これに限らず、上下方向への搬送対象の紙葉類の種類に応じた形状や大きさ等を有するステージや、伸縮部の種類に応じた取付構造を有するステージ等のように、この他種々の構成のステージを広く適用することができる。
【０３４０】
（２−９）他の実施の形態９
さらに上述した実施の形態においては、台座とステージとの間に上下方向へ伸縮可能に設けられ、ステージ上の紙葉類が所定量以下であると伸長してステージを押し上げ、ステージ上の紙葉類が所定量より多いと、伸長時よりも圧縮してステージを引き下げる伸縮部として、図１乃至図１７について上述した載上台４０の伸縮部６６を適用するようにした場合について述べた。
【０３４１】
しかしながら本発明は、これに限らず、菱格子状に組み合わせた複数のアーム７０乃至７７を、圧縮コイルばね８７，８８に換えて、何れかの１又は複数のアーム支持軸７９乃至８４に取り付けられたトーションばねによって伸縮させる伸縮部のように、この他種々の構成の伸縮部を広く適用することができる。
【０３４２】
（２−１０）他の実施の形態１０
さらに上述した実施の形態においては、台座を昇降させるように駆動する駆動部として、図１乃至図１７について上述したベルト駆動タイプの載上台駆動部６０を適用するようにした場合について述べた。
【０３４３】
しかしながら本発明は、これに限らず、リードスクリュー及びガイドに移動可能に取り付けられたラックを有する駆動部のように、この他種々の構成の駆動部を広く適用することができる。
【０３４４】
（２−１１）他の実施の形態１１
さらに上述した実施の形態においては、ステージ上の紙葉類が所定量以下の場合、駆動部により台座を駆動してステージの上面を、開口部及び収容空間を介した紙葉類の所望の受渡位置まで上昇させる制御部として、図１乃至図１７について上述したマイクロプロセッサ構成の制御部３０を適用するようにした場合について述べた。
【０３４５】
しかしながら本発明は、これに限らず、ＣＰＵ（Central  Processing  Unit）や、シーケンサ等のように、この他種々の構成の制御部を広く適用することができる。
【０３４６】
（２−１２）他の実施の形態１２
さらに上述した実施の形態においては、装置筐体に引出及び収納可能に設けられ、収容空間が形成された上段ユニットとして、図１乃至図１７について上述した下前端部に凹状段差部が形成された略逆Ｌ字箱型の上ユニット筐体２５を有する上段ユニット２１を適用するようにした場合について述べた。
【０３４７】
しかしながら本発明は、これに限らず、下端部が全体的に平坦な箱型の上ユニット筐体を有する上段ユニットのように、この他種々の構成の上段ユニットを広く適用することができる。
【０３４８】
（２−１３）他の実施の形態１３
さらに上述した実施の形態においては、装置筐体に引出及び収納可能に設けられ、搬送空間が形成された下段ユニットとして、図１乃至図１７について上述した上前端部に凸状段差部が設けられた略Ｌ字箱型の下ユニット筐体２７を有する下段ユニット２２を適用するようにした場合について述べた。
【０３４９】
しかしながら本発明は、これに限らず、上端部が全体的に平坦な箱型の下ユニット筐体を有する下段ユニットや、上前端部に凸状段差部が設けられるものの、当該凸状段差部の上端が小束搬送空間の上端とほぼ面一な略Ｌ字箱型の下ユニット筐体を有する下段ユニット等のように、この他種々の構成の下段ユニットを広く適用することができる。
【０３５０】
（２−１４）他の実施の形態１４
さらに上述した実施の形態においては、上段ユニットと下段ユニットとが上下に位置するように一体化された際、上段ユニット及び下段ユニットを一体化した状態にロックする上下ユニットロック部として、図１乃至図１７について上述した上下ユニットロック部１２０を適用するようにした場合について述べた。
【０３５１】
しかしながら本発明は、これに限らず、ロックレバーが上段ユニットに設けられた上下ユニットロック部や、鍵により上段ユニット及び下段ユニットのロック状態を切り換える上下ユニットロック部等のように、この他種々の構成の上下ユニットロック部を広く適用することができる。
【産業上の利用可能性】
【０３５２】
本発明は、施封小束支払機や現金自動預払機、現金自動支払機、現金ポスト等の紙葉類取扱装置に利用することができる。
【符号の説明】
【０３５３】
３……施封小束支払機、２０……支払機筐体、２１……上段ユニット、２２……下段ユニット、２６Ａ……入出金口、３０……制御部、４０……載上台、４１……載上台昇降部、６５……台座、６６……伸縮部、６７……ステージ、６７Ａ……小束載上面、７０乃至７７……アーム、７８……アーム支持部、８７、８８……圧縮コイルばね、１００乃至１０３……ベルトプーリ、１０５、１０６……ベルト、１２０……上下ユニットロック部、ＢＰ……小束受渡位置、ＢＵ……小束、ＤＳ……小束受渡空間、ＥＳ……載上台昇降空間。
【図１】
2015088138.tif 000003
【図２】
2015088138.tif 000004
【図３】
2015088138.tif 000005
【図４】
2015088138.tif 000006
【図５】
2015088138.tif 000007
【図６】
2015088138.tif 000008
【図７】
2015088138.tif 000009
【図８】
2015088138.tif 000010
【図９】
2015088138.tif 000011
【図１０】
2015088138.tif 000012
【図１１】
2015088138.tif 000013
【図１２】
2015088138.tif 000014
【図１３】
2015088138.tif 000015
【図１４】
2015088138.tif 000016
【図１５】
2015088138.tif 000017
【図１６】
2015088138.tif 000018
【図１７】
2015088138.tif 000019